(57)【要約】  リニア特性を有する映像信号を入力し、リニア特性を有する映像信号の信号レベルの画素当たりの平均値を算出する静止画検波部（１２２）と、静止画検波部（１２２）で算出した平均値を順次記憶する記憶部（１５０）と、記憶部（１５０）に記憶した平均値と直前の平均値との差分に基づいて、現在の画面に表示されるのが静止画かどうかを判定する静止画判定部（１６２）と、静止画判定部（１６２）で判定した結果、現在の画面に静止画が表示されると判定した場合に、表示部に表示する画像の輝度を落とす係数を算出する係数算出部（１６４）と、計数算出部（１６４）で算出した係数を映像信号に乗算する信号レベル補正部（１２８）と、を含む、表示装置が提供される。
2008143134.tif 000002
【特許請求の範囲】
【請求項１】
電流量に応じて自発光する発光素子及び映像信号に応じて前記発光素子へ印加する電流を制御する画素回路を備える画素と、発光させる前記画素を選択する選択信号を所定の走査周期で該画素へ供給する走査線と、前記映像信号を前記画素へ供給するデータ線とがマトリクス状に配置される表示部を備える表示装置であって：
リニア特性を有する映像信号を入力し、前記リニア特性を有する映像信号の信号レベルの前記画素当たりの平均値を算出する平均値算出部と；
前記平均値算出部で算出した平均値を順次記憶する平均値記憶部と；
前記平均値記憶部に記憶した前記平均値と直前の平均値との差分に基づいて、現在の画面に表示されるのが静止画かどうかを判定する静止画判定部と；
前記静止画判定部で判定した結果、前記現在の画面に静止画が表示されると判定した場合に、前記表示部に表示する画像の輝度を落とす係数を算出する係数算出部と；
前記係数算出部で算出した係数を前記映像信号に乗算する係数乗算部と；
を含む、表示装置。
【請求項２】
ガンマ特性を有する映像信号を、前記リニア特性を有する映像信号に変換するリニア変換部をさらに含む、請求項１に記載の表示装置。
【請求項３】
リニア特性を有する前記係数乗算部の出力信号を、ガンマ特性を有するように変換するガンマ変換部をさらに含む、請求項１に記載の表示装置。
【請求項４】
前記静止画判定部は、前記表示部を複数の領域に分割して、該領域のそれぞれにおいて静止画を表示しているどうかを判定し、前記複数の領域の内の少なくとも一つが静止画を表示していると判定した場合には、画面全体として静止画を表示していると判定する、請求項１に記載の表示装置。
【請求項５】
前記係数算出部は、最も高輝度の画像を表示している前記領域の輝度を落とす補正を行う係数を算出する、請求項４に記載の表示装置。
【請求項６】
前記係数算出部は、画面全体の輝度を落とす補正を行う係数を算出する、請求項５に記載の表示装置。
【請求項７】
前記静止画判定部は、前記複数の領域への分割の際、一辺のピクセル数が２のべき乗である領域に分割する、請求項４に記載の表示装置。
【請求項８】
電流量に応じて自発光する発光素子及び映像信号に応じて前記発光素子へ印加する電流を制御する画素回路を備える画素と、発光させる前記画素を選択する選択信号を所定の走査周期で該画素へ供給する走査線と、前記映像信号を前記画素へ供給するデータ線とがマトリクス状に配置される表示部を備える表示装置の駆動方法であって：
リニア特性を有する映像信号を入力し、前記映像信号の信号レベルの前記画素当たりの平均値を算出する平均値算出ステップと；
前記平均値算出ステップで算出した平均値を記憶する平均値記憶ステップと；
前記平均値記憶ステップで記憶した前記平均値と直前の平均値との差分に基づいて、前記表示部に表示されるのが静止画かどうかを判定する静止画判定ステップと；
前記静止画判定ステップで判定した結果、前記表示部に静止画が表示されると判定した場合に、前記表示部に表示する画像の輝度を落とす係数を算出する係数算出ステップと；
前記係数算出ステップで算出した係数を前記映像信号に乗算する係数乗算ステップと；
を含む、表示装置の駆動方法。
【請求項９】
ガンマ特性を有する映像信号を、前記リニア特性を有する映像信号に変換するステップをさらに含む、請求項８に記載の表示装置の駆動方法。
【請求項１０】
リニア特性を有する前記係数乗算ステップの出力信号を、ガンマ特性を有するように変換するステップをさらに含む、請求項８に記載の表示装置の駆動方法。
【請求項１１】
前記静止画判定ステップは、前記表示部を複数の領域に分割して、該領域のそれぞれにおいて静止画を表示しているどうかを判定し、前記複数の領域の内の少なくとも一つが静止画を表示していると判定した場合には、画面全体として静止画を表示していると判定する、請求項８に記載の表示装置の駆動方法。
【請求項１２】
前記係数算出ステップは、最も高輝度の画像を表示している前記領域の輝度を落とす補正を行う係数を算出する、請求項１１に記載の表示装置の駆動方法。
【請求項１３】
前記係数算出ステップは、画面全体の輝度を落とす補正を行う係数を算出する、請求項１２に記載の表示装置の駆動方法。
【請求項１４】
前記静止画判定ステップは、前記複数の領域への分割の際、一辺のピクセル数が２のべき乗である領域に分割する、請求項１１に記載の表示装置の駆動方法。
【請求項１５】
電流量に応じて自発光する発光素子及び映像信号に応じて前記発光素子へ印加する電流を制御する画素回路を備える画素と、発光させる前記画素を選択する選択信号を所定の走査周期で該画素へ供給する走査線と、前記映像信号を前記画素へ供給するデータ線とがマトリクス状に配置される表示部を備える表示装置の制御をコンピュータに実行させるコンピュータプログラムであって：
リニア特性を有する映像信号を入力し、前記映像信号の信号レベルの前記画素当たりの平均値を算出する平均値算出ステップと；
前記平均値算出ステップで算出した平均値を記憶する平均値記憶ステップと；
前記平均値記憶ステップで記憶した前記平均値と直前の平均値との差分に基づいて、前記表示部に表示されるのが静止画かどうかを判定する静止画判定ステップと；
前記静止画判定ステップで判定した結果、前記表示部に静止画が表示されると判定した場合に、前記表示部に表示する画像の輝度を落とす係数を算出する係数算出ステップと；
前記係数算出ステップで算出した係数を前記映像信号に乗算する係数乗算ステップと；
を含む、コンピュータプログラム。
【発明の詳細な説明】
【技術分野】
【０００１】
本発明は、表示装置および表示装置の駆動方法に関し、より詳細には、所定の走査周期で画素を選択する走査線と、画素を駆動するための輝度情報を与えるデータ線と、前記輝度情報に基づいて電流量を制御し、電流量に応じて発光素子を発光させる画素回路とが、マトリクス状に配置されて構成されるアクティブマトリクス型の表示装置およびその駆動方法に関する。
【背景技術】
【０００２】
平面で薄型の表示装置として、液晶を用いた液晶表示装置、プラズマを用いたプラズマ表示装置等が実用化されている。【０００３】
液晶表示装置は、バックライトを設け、電圧の印加によって液晶分子の配列を変化させることでバックライトからの光を通過させたり遮断したりすることで画像を表示する表示装置である。また、プラズマ表示装置は、基板内に封入されたガスに対して電圧を印加することでプラズマ状態となり、プラズマ状態から元の状態に戻る際に生じるエネルギーによって発生する紫外線が、蛍光体に照射されることで可視光となり、画像を表示する表示装置である。【０００４】
一方、近年においては、電圧を印加すると素子自体が発光する有機ＥＬ（エレクトロルミネッセンス）素子を用いた自発光型の表示装置の開発が進んでいる。有機ＥＬ素子は、電解によってエネルギーを受けると、基底状態から励起状態へ変化し、励起状態から基底状態に戻るときに、差分のエネルギーを光として放出する。有機ＥＬ表示装置は、この有機ＥＬ素子が放出する光を用いて画像を表示する表示装置である。【０００５】
自発光型表示装置は、バックライトを必要とする液晶表示装置とは異なり、素子が自ら発光するためにバックライトを必要としないため、液晶表示装置に比べて薄く構成することが可能である。また、液晶表示装置と比べて、動画特性、視野角特性、色再現性等が優れているため、有機ＥＬ表示装置は次世代の平面薄型表示装置として注目されている。【０００６】
しかし、有機ＥＬ素子は、電圧を印加し続けると発光特性が劣化し、同じ電流を入力しても輝度が低下する。その結果、特定の画素の発光頻度が高い場合には、その特定の画素は他の画素に比べて発光特性が劣り、ホワイトバランスが崩れて画像が表示されてしまう。特定の画素は他の画素に比べて発光特性が劣ってしまう現象のことを「焼き付き現象」という。【０００７】
画像の輝度を変換することで経時的な特性劣化に伴う画素の発光素子の劣化度の進行を遅らせて、ホワイトバランスの崩れを防ぐ方法として、例えば特許文献１がある。【０００８】
【特許文献１】特開２００５−４３７７６号公報
【発明の開示】
【発明が解決しようとする課題】
【０００９】
しかし、特許文献１に示す方法は、入力される画像に対して、諧調に対する度数分布を計算し、画像を２値化することで固定画像を表示している領域を算出しているので、信号処理が複雑になる問題があった。【００１０】
そこで、本発明は、上記問題に鑑みてなされたものであり、本発明の目的とするところは、リニア特性を有する映像信号に対して信号処理を行って画面上の静止画像の表示の有無を検出し、映像信号の信号レベルを調節することで焼き付きを防ぐことが可能な、新規かつ改良された表示装置、表示装置の駆動方法およびコンピュータプログラムを提供することにある。
【課題を解決するための手段】
【００１１】
上記課題を解決するために、本発明のある観点によれば、電流量に応じて自発光する発光素子及び映像信号に応じて発光素子へ印加する電流を制御する画素回路を備える画素と、発光させる画素を選択する選択信号を所定の走査周期で該画素へ供給する走査線と、映像信号を画素へ供給するデータ線とがマトリクス状に配置される表示部を備える表示装置であって：リニア特性を有する映像信号を入力し、リニア特性を有する映像信号の信号レベルの画素当たりの平均値を算出する平均値算出部と；平均値算出部で算出した平均値を順次記憶する平均値記憶部と；平均値記憶部に記憶した平均値と直前の平均値との差分に基づいて、現在の画面に表示されるのが静止画かどうかを判定する静止画判定部と；静止画判定部で判定した結果、現在の画面に静止画が表示されると判定した場合に、表示部に表示する画像の輝度を落とす係数を算出する係数算出部と；係数算出部で算出した係数を映像信号に乗算する係数乗算部と；を含む、表示装置が提供される。【００１２】
かかる構成によれば、平均値算出部はリニア特性を有する映像信号を入力してリニア特性を有する映像信号の信号レベルの画素当たりの平均値を算出し、平均値記憶部は平均値算出部で算出した平均値を順次記憶し、静止画判定部は平均値記憶部に記憶した平均値と直前の平均値との差分に基づいて、現在の画面に表示されるのが静止画かどうかを判定し、係数算出部は静止画判定部での判定の結果、現在の画面に静止画が表示されると判定した場合に、表示部に表示する画像の輝度を落とす係数を算出し、係数乗算部は係数算出部で算出した係数を映像信号に乗算する。その結果、リニア特性を有する映像信号に対して信号処理を行って画面上の静止画像の表示の有無を検出し、静止画像の有無に応じて映像信号の信号レベルを調節する係数を算出して、映像信号の信号レベルを調節することで、画面の焼き付き現象を防ぐことができる。【００１３】
上記表示装置は、ガンマ特性を有する映像信号を、リニア特性を有する映像信号に変換するリニア変換部をさらに含んでいてもよい。かかる構成によれば、リニア変換部はガンマ特性を有する映像信号を、リニア特性を有する映像信号に変換する。リニア変換部で変換されたリニア特性を有する映像信号は平均値算出部に入力されて、映像信号から信号レベルの平均値が算出される。その結果、映像信号に対する各種信号処理を容易に行うことができる。【００１４】
リニア特性を有する係数乗算部の出力信号を、ガンマ特性を有するように変換するガンマ変換部をさらに含んでいてもよい。かかる構成によれば、ガンマ変換部はリニア特性を有する係数乗算部の出力信号を、ガンマ特性を有するように変換する。その結果、映像信号がガンマ特性を有することで、表示部が有するガンマ特性をキャンセルし、信号の電流に応じて表示部の内部の自発光素子が発光するようにリニア特性を有することができる。【００１５】
静止画判定部は、表示部を複数の領域に分割して該領域のそれぞれにおいて静止画を表示しているどうかを判定し、複数の領域の内の少なくとも一つが静止画を表示していると判定した場合には、画面全体として静止画を表示していると判定してもよい。【００１６】
係数算出部は、最も高輝度の画像を表示している領域の輝度を落とす補正を行う係数を算出してもよく、画面全体の輝度を落とす補正を行う係数を算出してもよい。【００１７】
静止画判定部は、複数の領域への分割の際、一辺のピクセル数が２のべき乗である領域に分割してもよい。その結果、信号処理を行う回路を単純化することができる。【００１８】
また、上記課題を解決するために、本発明の別の観点によれば、電流量に応じて自発光する発光素子及び映像信号に応じて発光素子へ印加する電流を制御する画素回路を備える画素と、発光させる画素を選択する選択信号を所定の走査周期で該画素へ供給する走査線と、映像信号を画素へ供給するデータ線とがマトリクス状に配置される表示部を備える表示装置の駆動方法であって：リニア特性を有する映像信号を入力し、映像信号の信号レベルの画素当たりの平均値を算出する平均値算出ステップと；平均値算出ステップで算出した平均値を記憶する平均値記憶ステップと；平均値記憶ステップで記憶した平均値と直前の平均値との差分に基づいて、表示部に表示されるのが静止画かどうかを判定する静止画判定ステップと；静止画判定ステップで判定した結果、表示部に静止画が表示されると判定した場合に、表示部に表示する画像の輝度を落とす係数を算出する係数算出ステップと；係数算出ステップで算出した係数を映像信号に乗算する係数乗算ステップと；を含む、表示装置の駆動方法が提供される。【００１９】
かかる構成によれば、平均値算出ステップはリニア特性を有する映像信号を入力し、映像信号の信号レベルの画素当たりの平均値を算出し、平均値記憶ステップは平均値算出ステップで算出した平均値を記憶し、静止画判定ステップは平均値記憶ステップで記憶した平均値と直前の平均値との差分に基づいて、表示部に表示されるのが静止画かどうかを判定し、係数算出ステップは静止画判定ステップで判定した結果、表示部に静止画が表示されると判定した場合に、表示部に表示する画像の輝度を落とす係数を算出し、係数乗算ステップは係数算出ステップで算出した係数を映像信号に乗算する。その結果、リニア特性を有する映像信号に対して信号処理を行って画面上の静止画像の表示の有無を検出し、静止画像の有無に応じて映像信号の信号レベルを調節する係数を算出して、映像信号の信号レベルを調節することで、画面の焼き付き現象を防ぐことができる。【００２０】
また、上記課題を解決するために、本発明の別の観点によれば、電流量に応じて自発光する発光素子及び映像信号に応じて発光素子へ印加する電流を制御する画素回路を備える画素と、発光させる画素を選択する選択信号を所定の走査周期で該画素へ供給する走査線と、映像信号を画素へ供給するデータ線とがマトリクス状に配置される表示部を備える表示装置の制御をコンピュータに実行させるコンピュータプログラムであって：リニア特性を有する映像信号を入力し、映像信号の信号レベルの画素当たりの平均値を算出する平均値算出ステップと；平均値算出ステップで算出した平均値を記憶する平均値記憶ステップと；平均値記憶ステップで記憶した平均値と直前の平均値との差分に基づいて、表示部に表示されるのが静止画かどうかを判定する静止画判定ステップと；静止画判定ステップで判定した結果、表示部に静止画が表示されると判定した場合に、表示部に表示する画像の輝度を落とす係数を算出する係数算出ステップと；係数算出ステップで算出した係数を映像信号に乗算する係数乗算ステップと；を含む、コンピュータプログラムが提供される。【００２１】
かかる構成によれば、平均値算出ステップはリニア特性を有する映像信号を入力し、映像信号の信号レベルの画素当たりの平均値を算出し、平均値記憶ステップは平均値算出ステップで算出した平均値を記憶し、静止画判定ステップは平均値記憶ステップで記憶した平均値と直前の平均値との差分に基づいて、表示部に表示されるのが静止画かどうかを判定し、係数算出ステップは静止画判定ステップで判定した結果、表示部に静止画が表示されると判定した場合に、表示部に表示する画像の輝度を落とす係数を算出し、係数乗算ステップは係数算出ステップで算出した係数を映像信号に乗算する。その結果、リニア特性を有する映像信号に対して信号処理を行って画面上の静止画像の表示の有無を検出し、静止画像の有無に応じて映像信号の信号レベルを調節する係数を算出して、映像信号の信号レベルを調節することで、画面の焼き付き現象を防ぐことができる。
【発明の効果】
【００２２】
以上説明したように本発明によれば、リニア特性を有する映像信号に対して信号処理を行って画面上の静止画像の表示の有無を検出し、輝度を調節することで焼き付きを防ぐことが可能な、新規かつ改良された表示装置および表示装置の駆動方法を提供することができる。
【図面の簡単な説明】
【００２３】
【図１】図１は、本発明の一実施形態にかかる表示装置１００の構成について説明する説明図である。
【図２Ａ】図２Ａは、本発明の一実施形態にかかる表示装置１００を流れる信号の特性の移り変わりをグラフで説明する説明図である。
【図２Ｂ】図２Ｂは、本発明の一実施形態にかかる表示装置１００を流れる信号の特性の移り変わりをグラフで説明する説明図である。
【図２Ｃ】図２Ｃは、本発明の一実施形態にかかる表示装置１００を流れる信号の特性の移り変わりをグラフで説明する説明図である。
【図２Ｄ】図２Ｄは、本発明の一実施形態にかかる表示装置１００を流れる信号の特性の移り変わりをグラフで説明する説明図である。
【図２Ｅ】図２Ｅは、本発明の一実施形態にかかる表示装置１００を流れる信号の特性の移り変わりをグラフで説明する説明図である。
【図２Ｆ】図２Ｆは、本発明の一実施形態にかかる表示装置１００を流れる信号の特性の移り変わりをグラフで説明する説明図である。
【図３】図３は、パネル１５８に設けられる画素回路の断面構造の一例を示す断面図である。
【図４】図４は、５Ｔｒ／１Ｃ駆動回路の等価回路図である。
【図５】図５は、５Ｔｒ／１Ｃ駆動回路の駆動のタイミングチャートである。
【図６Ａ】図６Ａは、５Ｔｒ／１Ｃ駆動回路の各トランジスタのオン／オフ状態等を示す説明図である。
【図６Ｂ】図６Ｂは、５Ｔｒ／１Ｃ駆動回路の各トランジスタのオン／オフ状態等を示す説明図である。
【図６Ｃ】図６Ｃは、５Ｔｒ／１Ｃ駆動回路の各トランジスタのオン／オフ状態等を示す説明図である。
【図６Ｄ】図６Ｄは、５Ｔｒ／１Ｃ駆動回路の各トランジスタのオン／オフ状態等を示す説明図である。
【図６Ｅ】図６Ｅは、５Ｔｒ／１Ｃ駆動回路の各トランジスタのオン／オフ状態等を示す説明図である。
【図６Ｆ】図６Ｆは、５Ｔｒ／１Ｃ駆動回路の各トランジスタのオン／オフ状態等を示す説明図である。
【図６Ｇ】図６Ｇは、５Ｔｒ／１Ｃ駆動回路の各トランジスタのオン／オフ状態等を示す説明図である。
【図６Ｈ】図６Ｈは、５Ｔｒ／１Ｃ駆動回路の各トランジスタのオン／オフ状態等を示す説明図である。
【図６Ｉ】図６Ｉは、５Ｔｒ／１Ｃ駆動回路の各トランジスタのオン／オフ状態等を示す説明図である。
【図７】図７は、２Ｔｒ／１Ｃ駆動回路の等価回路図である。
【図８】図８は、２Ｔｒ／１Ｃ駆動回路の駆動のタイミングチャートである。
【図９Ａ】図９Ａは、２Ｔｒ／１Ｃ駆動回路の各トランジスタのオン／オフ状態等を示す説明図である。
【図９Ｂ】図９Ｂは、２Ｔｒ／１Ｃ駆動回路の各トランジスタのオン／オフ状態等を示す説明図である。
【図９Ｃ】図９Ｃは、２Ｔｒ／１Ｃ駆動回路の各トランジスタのオン／オフ状態等を示す説明図である。
【図９Ｄ】図９Ｄは、２Ｔｒ／１Ｃ駆動回路の各トランジスタのオン／オフ状態等を示す説明図である。
【図９Ｅ】図９Ｅは、２Ｔｒ／１Ｃ駆動回路の各トランジスタのオン／オフ状態等を示す説明図である。
【図９Ｆ】図９Ｆは、２Ｔｒ／１Ｃ駆動回路の各トランジスタのオン／オフ状態等を示す説明図である。
【図１０】図１０は、４Ｔｒ／１Ｃ駆動回路の等価回路図である。
【図１１】図１１は、３Ｔｒ／１Ｃ駆動回路の等価回路図である。
【図１２】図１２は、信号レベル補正部１２８および信号レベル補正部１２８に関する構成要素について説明する説明図である。
【図１３】図１３は、本発明の一実施形態にかかる画面上の画像表示領域の分割について説明する説明図である。
【図１４】図１４は、本発明の一実施形態にかかる静止画判定方法について説明する流れ図である。
【図１５】図１５は、本発明の一実施形態にかかる画面上の画像表示領域の分割について説明する説明図である。
【図１６Ａ】図１６Ａは、本発明の一実施形態にかかる、各領域の信号レベルの計測の順番を説明する説明図である。
【図１６Ｂ】図１６Ｂは、本発明の一実施形態にかかる、各領域の信号レベルの計測の順番を説明する説明図である。
【図１６Ｃ】図１６Ｃは、本発明の一実施形態にかかる、各領域の信号レベルの計測の順番を説明する説明図である。
【図１７】図１７は、本発明の一実施形態にかかる、静止画検波部１２２における信号レベルの計測について説明する説明図である。
【図１８】図１８は、本発明の一実施形態にかかる静止画判定について説明する説明図である。
【図１９】図１９は、本発明の一実施形態にかかる、静止画度と時間との関係をグラフで示す説明図である。
【図２０】図２０は、本発明の一実施形態にかかる、静止画度とゲインとの関係をグラフで示す説明図である。
【符号の説明】
【００２４】
１００    表示装置
１０４    制御部
１０６    記録部
１１０    信号処理集積回路
１１２    エッジぼかし部
１１４    Ｉ／Ｆ部
１１６    リニア変換部
１１８    パターン生成部
１２０    色温度調整部
１２２    静止画検波部
１２４    長期色温度補正部
１２６    発光時間制御部
１２８    信号レベル補正部
１３０    ムラ補正部
１３２    ガンマ変換部
１３４    ディザ処理部
１３６    信号出力部
１３８    長期色温度補正検波部
１４０    ゲートパルス出力部
１４２    ガンマ回路制御部
１５０    記憶部
１５２    データドライバ
１５４    ガンマ回路
１５６    過電流検出部
１５８    パネル
１６２    静止画判定部
１６４    係数算出部
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。【００２６】
まず、本発明の一実施形態にかかる表示装置の構成について説明する。図１は、本発明の一実施形態にかかる表示装置１００の構成について説明する説明図である。以下、図１を用いて本発明の一実施形態にかかる表示装置１００の構成について説明する。【００２７】
図１に示したように、本発明の一実施形態にかかる表示装置１００は、制御部１０４と、記録部１０６と、信号処理集積回路１１０と、記憶部１５０と、データドライバ１５２と、ガンマ回路１５４と、過電流検出部１５６と、パネル１５８と、を含んで構成される。【００２８】
そして信号処理集積回路１１０は、エッジぼかし部１１２と、Ｉ／Ｆ部１１４と、リニア変換部１１６と、パターン生成部１１８と、色温度調整部１２０と、静止画検波部１２２と、長期色温度補正部１２４と、発光時間制御部１２６と、信号レベル補正部１２８と、ムラ補正部１３０と、ガンマ変換部１３２と、ディザ処理部１３４と、信号出力部１３６と、長期色温度補正検波部１３８と、ゲートパルス出力部１４０と、ガンマ回路制御部１４２と、を含んで構成される。【００２９】
表示装置１００は、映像信号の供給を受けると、その映像信号を分析して、分析した内容に従って、後述するパネル１５８の内部に配置される画素を点灯することで、パネル１５８を通じて映像を表示するものである。【００３０】
制御部１０４は、信号処理集積回路１１０の制御を行うものであり、Ｉ／Ｆ部１１４との間で信号の授受を行う。また、制御部１０４はＩ／Ｆ部１１４から受け取った信号に対して各種信号処理を行う。制御部１０４で行う信号処理には、例えばパネル１５８に表示する画像の輝度の調整に用いるゲインの算出がある。【００３１】
記録部１０６は、制御部１０４において信号処理集積回路１１０を制御するための情報を格納するためのものである。記録部１０６として、表示装置１００の電源が切れている状態でも情報が消えずに格納することができるメモリを用いることが好ましい。記録部１０６として採用するメモリとして、例えば電気的に内容を書き換えることができるＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）を用いることが望ましい。ＥＥＰＲＯＭは基板に実装したままでデータの書き込みや消去を行うことができる不揮発性のメモリであり、刻一刻と変化する表示装置１００の情報を格納するために好適なメモリである。【００３２】
信号処理集積回路１１０は、映像信号を入力し、入力された映像信号に対して信号処理を施すものである。本実施形態では、信号処理集積回路１１０に入力される映像信号はデジタル信号であり、信号幅は１０ビットである。入力した映像信号に対する信号処理は、信号処理集積回路１１０の内部の各部で行う。【００３３】
エッジぼかし部１１２は、入力された映像信号に対してエッジをぼかすための信号処理を行うものである。具体的には、エッジぼかし部１１２は、パネル１５８への画像の焼き付き現象を防ぐために、画像を意図的にずらすことでエッジをぼかして、画像の焼き付き現象を抑えるものである。【００３４】
リニア変換部１１６は、入力に対する出力がガンマ特性を有する映像信号を、ガンマ特性からリニア特性を有するように変換する信号処理を行うものである。リニア変換部１１６で入力に対する出力がリニア特性を有するように信号処理を行うことで、パネル１５８で表示する画像に対する様々な処理が容易になる。リニア変換部１１６での信号処理によって、映像信号の信号幅が１０ビットから１４ビットに拡がる。【００３５】
パターン生成部１１８は、表示装置１００の内部の画像処理で使用するテストパターンを生成するものである。表示装置１００の内部の画像処理で使用するテストパターンとしては、例えばパネル１５８の表示検査に用いるテストパターンがある。【００３６】
色温度調整部１２０は、画像の色温度の調整を行うものであり、表示装置１００のパネル１５８で表示する色の調整を行うものである。図１には図示していないが、表示装置１００には色温度を調整するための色温度調整手段を備えており、利用者が色温度調整手段を操作することで、画面に表示される画像の色温度を手動で調整することができる。【００３７】
長期色温度補正部１２４は、有機ＥＬ素子のＲ（赤）、Ｇ（緑）、Ｂ（青）各色の輝度・時間特性（ＬＴ特性）が異なることによる経年変化を補正するものである。有機ＥＬ素子には、Ｒ、Ｇ、Ｂ各色のＬＴ特性が異なるため、発光時間の経過に伴って色のバランスが崩れてくる。その色のバランスを補正するものである。【００３８】
発光時間制御部１２６は、映像をパネル１５８に表示する際のパルスのデューティ比を算出して、有機ＥＬ素子の発光時間を制御するものである。表示装置１００は、パルスがＨＩ状態の間にパネル１５８内部の有機ＥＬ素子に対して電流を流すことで、有機ＥＬ素子を発光させて画像の表示を行う。【００３９】
信号レベル補正部１２８は、画像の焼き付き現象を防ぐために、映像信号の信号レベルを補正することでパネル１５８に表示する映像の輝度を調整するものである。画像の焼き付き現象は、特定の画素の発光頻度が他の画素に比べて高い場合に生じる発光特性の劣化現象のことであり、劣化してしまった画素は他の劣化していない画素に比べて輝度の低下を招いて、周辺の劣化していない部分との輝度差が大きくなる。この輝度の差によって、画面に文字が焼き付いてしまったように見える。【００４０】
信号レベル補正部１２８は、映像信号と発光時間制御部１２６で算出されたパルスのデューティ比とから各画素または画素群の発光量を算出し、算出した発光量に基づいて、必要に応じて輝度を落とすためのゲインを算出し、算出したゲインを映像信号に乗じるものである。【００４１】
長期色温度補正検波部１３８は、長期色温度補正部１２４で補正するための情報を検知するものである。長期色温度補正検波部１３８で検知した情報は、Ｉ／Ｆ部１１４を通じて制御部１０４に送られ、制御部１０４を経由して記録部１０６に記録される。【００４２】
ムラ補正部１３０は、パネル１５８に表示される画像や映像のムラを補正するものである。パネル１５８の横筋、縦筋および画面全体の斑を、入力信号のレベルや座標位置を基準に補正を行う。【００４３】
ガンマ変換部１３２は、リニア変換部１１６でリニア特性を有するように変換した映像信号に対してガンマ特性を有するように変換する信号処理を施すものである。ガンマ変換部１３２で行う信号処理は、パネル１５８が有するガンマ特性をキャンセルし、信号の電流に応じてパネル１５８の内部の有機ＥＬ素子が発光するようにリニア特性を有するような信号に変換する信号処理である。ガンマ変換部１３２で信号処理を行うことで、信号幅が１４ビットから１２ビットに変化する。【００４４】
ディザ処理部１３４は、ガンマ変換部１３２で変換された信号に対してディザリングを施すものである。ディザリングは、使用可能な色数が少ない環境で中間色を表現するために、表示可能な色を組み合わせて表示することである。ディザ処理部１３４でディザリングを行うことで、本来パネル上では表示できない色を、見かけ上作り出して表現することができる。ディザ処理部１３４でのディザリングによって、信号幅が１２ビットから１０ビットに変化する。【００４５】
信号出力部１３６は、ディザ処理部１３４でディザリングが施された後の信号をデータドライバ１５２に対して出力するものである。信号出力部１３６からデータドライバ１５２に渡される信号はＲ、Ｇ、Ｂ各色の発光量に関する情報が乗った信号であり、発光時間の情報が乗った信号はゲートパルス出力部１４０からパルスの形式で出力される。【００４６】
ゲートパルス出力部１４０は、パネル１５８の発光時間を制御するパルスを出力するものである。ゲートパルス出力部１４０から出力されるパルスは、発光時間制御部１２６で算出したデューティ比によるパルスである。ゲートパルス出力部１４０からのパルスによって、パネル１５８での各画素の発光時間が決定される。【００４７】
ガンマ回路制御部１４２は、ガンマ回路１５４に設定値を与えるものである。データドライバ１５２の内部に含まれるＤ／Ａ変換器のラダー抵抗に与えるための基準電圧である。【００４８】
記憶部１５０は、信号レベル補正部１２８で信号レベルを補正する際に必要となる情報を格納しているものである。記憶部１５０としては、記録部１０６とは異なり、電源が切れると内容が消去されるようなメモリを用いてもよく、そのようなメモリとして、例えばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）を用いることが望ましい。記憶部１５０に記憶する情報については後述する。【００４９】
過電流検出部１５６は、基板のショート等で過電流が生じた場合にその過電流を検出し、ゲートパルス出力部１４０に通知するものである。過電流検出部１５６により、過電流が生じた場合にその過電流がパネル１５８に印加されるのを防ぐことができる。【００５０】
データドライバ１５２は、信号出力部１３６から受け取った信号に対して信号処理を行い、パネル１５８に対して、パネル１５８で映像を表示するための信号を出力するものである。データドライバ１５２にはＤ／Ａ変換器が含まれており、デジタル信号をアナログ信号に変換して出力する。【００５１】
ガンマ回路１５４は、データドライバ１５２の内部に含まれるＤ／Ａ変換器のラダー抵抗に基準電圧を与えるものである。ラダー抵抗に与えるための基準電圧は、上述のようにガンマ回路制御部１４２で生成される。【００５２】
パネル１５８は、本発明の表示部の一例であり、データドライバ１５２からの出力信号およびゲートパルス出力部１４０からの出力パルスを入力し、入力した信号およびパルスに応じて、有機ＥＬ素子を発光させて画像を表示するものである。有機ＥＬ素子は電圧を印加すると発光する自発光型の素子であり、その発光量は電圧に比例する。従って、有機ＥＬ素子のＩＬ特性（電流−発光量特性）も比例関係を有することとなる。【００５３】
パネル１５８には、図示しないが、所定の走査周期で画素を選択する走査線と、画素を駆動するための輝度情報を与えるデータ線と、輝度情報に基づいて電流量を制御し、電流量に応じて発光素子である有機ＥＬ素子を発光させる画素回路とが、マトリクス状に配置されて構成されており、このように走査線、データ線および画素回路が構成されていることで、表示装置１００は画像を表示することができる。【００５４】
以上、図１を用いて本発明の一実施形態にかかる表示装置１００の構成について説明した。なお、図１に示した本発明の一実施形態にかかる表示装置１００は、リニア変換部１１６でリニア特性を有するように映像信号を変換した後、変換後の映像信号をパターン生成部１１８に入力したが、パターン生成部１１８とリニア変換部１１６とを入れ替えてもよい。【００５５】
次に、本発明の一実施形態にかかる表示装置１００を流れる信号の特性の移り変わりについて説明する。図２Ａ〜図２Ｆは、本発明の一実施形態にかかる表示装置１００を流れる信号の特性の移り変わりをグラフで説明する説明図である。図２Ａ〜図２Ｆの各グラフは、横軸を入力、縦軸を出力として示している。【００５６】
図２Ａは、被写体を入力した際に、被写体の光量に対する出力Ａがガンマ特性を有する映像信号に対して、リニア変換部１１６で逆のガンマ曲線（リニアガンマ）を掛け合わせることで、被写体の光量に対する出力がリニア特性を有するように映像信号を変換したことを示している。【００５７】
図２Ｂは、被写体の光量の入力に対する出力Ｂの特性がリニア特性を有するように変換した映像信号に対して、ガンマ変換部１３２でガンマ曲線を掛け合わせることで、被写体の光量の入力に対する出力がガンマ特性を有するように映像信号を変換したことを示している。【００５８】
図２Ｃは、被写体の光量の入力に対する出力Ｃの特性がガンマ特性を有するように変換した映像信号に対して、データドライバ１５２におけるＤ／Ａ変換が行われたことを示している。Ｄ／Ａ変換は、入力と出力との関係がリニア特性を有している。従って、データドライバ１５２によってＤ／Ａ変換が施されることによって、被写体の光量を入力すると、出力電圧はガンマ特性を有する。【００５９】
図２Ｄは、Ｄ／Ａ変換が施された後の映像信号が、パネル１５８に含まれるトランジスタに入力されることによって、両者のガンマ特性が打ち消されることを示している。トランジスタのＶＩ特性は、被写体の光量の入力に対する出力電圧のガンマ特性と逆のカーブを有するガンマ特性である。従って、被写体の光量を入力すると出力電流がリニア特性を有するように再び変換することができる。【００６０】
図２Ｅは、被写体の光量を入力すると出力電流がリニア特性を有する信号がパネル１５８に入力されることで、当該リニア特性を有する信号と、上述したようにリニア特性を有する有機ＥＬ素子のＩＬ特性とが掛け合わされることを示している。【００６１】
その結果、図２Ｆに示したように、被写体の光量を入力すると、パネル（ＯＬＥＤ；Ｏｒｇａｎｉｃ  Ｌｉｇｈｔ  Ｅｍｉｔｔｉｎｇ  Ｄｉｏｄｅ）の発光量がリニア特性を有しているため、リニア変換部１１６で逆のガンマ曲線を掛け合わせてリニア特性を有するように映像信号を変換することで、図１に示した信号処理集積回路１１０におけるリニア変換部１１６からガンマ変換部１３２の間をリニア領域として信号処理することが可能となる。【００６２】
以上、本発明の一実施形態にかかる表示装置１００を流れる信号の信号特性の移り変わりについて説明した。【００６３】
［画素回路構造］
続いて、パネル１５８に設けられる画素回路の構造の一例について説明する。【００６４】
図３は、パネル１５８に設けられる画素回路の断面構造の一例を示す断面図である。図３に示すように、パネル１５８に設けられる画素回路は、駆動トランジスタ１０２２等を含む駆動回路が形成されたガラス基板１２０１上に絶縁膜１２０２、絶縁平坦化膜１２０３およびウインド絶縁膜１２０４がその順に形成され、当該ウインド絶縁膜１２０４の凹部１２０４Ａに有機ＥＬ素子１０２１が設けられた構成となっている。ここでは、駆動回路の各構成素子のうち、駆動トランジスタ１０２２のみを図示し、他の構成素子については省略して示している。【００６５】
有機ＥＬ素子１０２１は、上記ウインド絶縁膜１２０４の凹部１２０４Ａの底部に形成された金属等からなるアノード電極１２０５と、当該アノード電極１２０５上に形成された有機層（電子輸送層、発光層、ホール輸送層/ホール注入層）１２０６と、当該有機層１２０６上に全画素共通に形成された透明導電膜等からなるカソード電極１２０７とから構成されている。【００６６】
この有機ＥＬ素子１０２１において、有機層１２０６は、アノード電極１２０５上にホール輸送層／ホール注入層２０６１、発光層２０６２、電子輸送層２０６３および電子注入層（図示せず）が順次堆積されることによって形成される。そして、駆動トランジスタ１０２２による電流駆動の下に、駆動トランジスタ１０２２からアノード電極１２０５を通して有機層１２０６に電流が流れることで、当該有機層１２０６内の発光層２０６２において電子と正孔が再結合する際に発光するようになっている。【００６７】
駆動トランジスタ１０２２は、ゲート電極１２２１と、半導体層１２２２の一方側に設けられたソース／ドレイン領域１２２３と、半導体層１２２２の他方側に設けられたドレイン／ソース領域１２２４と、半導体層１２２２のゲート電極１２２１と対向する部分のチャネル形成領域１２２５とから構成されている。ソース／ドレイン領域１２２３は、コンタクトホールを介して有機ＥＬ素子１０２１のアノード電極１２０５と電気的に接続されている。【００６８】
そして、図３に示すように、駆動トランジスタ１０２２を含む駆動回路が形成されたガラス基板１２０１上に、絶縁膜１２０２、絶縁平坦化膜１２０３およびウインド絶縁膜１２０４を介して有機ＥＬ素子１０２１が画素単位で形成された後は、パッシベーション膜１２０８を介して封止基板１２０９が接着剤１２１０によって接合され、当該封止基板１２０９によって有機ＥＬ素子１０２１が封止されることにより、パネル１５８が形成される。【００６９】
［駆動回路］
続いて、パネル１５８に設けられる駆動回路の構成の一例について説明する。【００７０】
有機ＥＬ素子を備えた発光部ＥＬＰを駆動するための駆動回路として各種の回路があるが、以下、５トランジスタ／１容量部から基本的に構成された駆動回路（以下、５Ｔｒ／１Ｃ駆動回路と呼ぶ場合がある）、４トランジスタ／１容量部から基本的に構成された駆動回路（以下、４Ｔｒ／１Ｃ駆動回路と呼ぶ場合がある）、３トランジスタ／１容量部から基本的に構成された駆動回路（以下、３Ｔｒ／１Ｃ駆動回路と呼ぶ場合がある）、２トランジスタ／１容量部から基本的に構成された駆動回路（以下、２Ｔｒ／１Ｃ駆動回路と呼ぶ場合がある）に共通する事項を、先ず説明する。【００７１】
便宜上、駆動回路を構成する各トランジスタは、原則として、ｎチャネル型の薄膜トランジスタ（ＴＦＴ）から構成されているとして説明する。但し、場合によっては、一部のトランジスタをｐチャネル型のＴＦＴから構成することもできる。尚、半導体基板等にトランジスタを形成した構成とすることもできる。駆動回路を構成するトランジスタの構造は、特に限定するものではない。以下の説明においては、駆動回路を構成するトランジスタはエンハンスメント型であるとして説明するが、これに限るものではない。デプレッション型のトランジスタが用いられていてもよい。また、駆動回路を構成するトランジスタはシングルゲート型であってもよいし、デュアルゲート型であってもよい。【００７２】
以下の説明において、表示装置は、（Ｎ／３）×Ｍ個の２次元マトリクス状に配列された画素から構成され、１つの画素は、３つの副画素（赤色を発光する赤色発光副画素、緑色を発光する緑色発光副画素、青色を発光する青色発光副画素）から構成されているとする。また、各画素を構成する発光素子は、線順次駆動されるとし、表示フレームレートをＦＲ（回／秒）とする。即ち、第ｍ行目（但し、ｍ＝１，２，３・・・Ｍ）に配列された（Ｎ／３）個の画素、より具体的には、Ｎ個の副画素のそれぞれを構成する発光素子が同時に駆動される。換言すれば、１つの行を構成する各発光素子にあっては、その発光／非発光のタイミングは、それらが属する行単位で制御される。尚、１つの行を構成する各画素について映像信号を書き込む処理は、全ての画素について同時に映像信号を書き込む処理（以下、単に、同時書込み処理と呼ぶ場合がある）であってもよいし、各画素毎に順次映像信号を書き込む処理（以下、単に、順次書込み処理と呼ぶ場合がある）であってもよい。いずれの書込み処理とするかは、駆動回路の構成に応じて適宜選択すればよい。【００７３】
ここで、原則として、第ｍ行目、第ｎ列（但し、ｎ＝１，２，３・・・Ｎ）に位置する発光素子に関する駆動、動作を説明するが、係る発光素子を、以下、第（ｎ，ｍ）番目の発光素子あるいは第（ｎ，ｍ）番目の副画素と呼ぶ。そして、第ｍ行目に配列された各発光素子の水平走査期間（第ｍ番目の水平走査期間）が終了するまでに、各種の処理（後述する閾値電圧キャンセル処理、書込み処理、移動度補正処理）が行われる。尚、書込み処理や移動度補正処理は、第ｍ番目の水平走査期間内に行われる必要がある。一方、駆動回路の種類によっては、閾値電圧キャンセル処理やこれに伴う前処理を第ｍ番目の水平走査期間より先行して行うことができる。【００７４】
そして、上述した各種の処理が全て終了した後、第ｍ行目に配列された各発光素子を構成する発光部を発光させる。尚、上述した各種の処理が全て終了した後、直ちに発光部を発光させてもよいし、所定の期間（例えば、所定の行数分の水平走査期間）が経過した後に発光部を発光させてもよい。この所定の期間は、表示装置の仕様や駆動回路の構成等に応じて、適宜設定することができる。尚、以下の説明においては、説明の便宜のため、各種の処理終了後、直ちに発光部を発光させるものとする。そして、第ｍ行目に配列された各発光素子を構成する発光部の発光は、第（ｍ＋ｍ’）行目に配列された各発光素子の水平走査期間の開始直前まで継続される。ここで、「ｍ’」は、表示装置の設計仕様によって決定される。即ち、或る表示フレームの第ｍ行目に配列された各発光素子を構成する発光部の発光は、第（ｍ＋ｍ’−１）番目の水平走査期間まで継続される。一方、第（ｍ＋ｍ’）番目の水平走査期間の始期から、次の表示フレームにおける第ｍ番目の水平走査期間内において書込み処理や移動度補正処理が完了するまで、第ｍ行目に配列された各発光素子を構成する発光部は、原則として非発光状態を維持する。上述した非発光状態の期間（以下、単に、非発光期間と呼ぶ場合がある）を設けることにより、アクティブマトリクス駆動に伴う残像ボケが低減され、動画品位をより優れたものとすることができる。但し、各副画素（発光素子）の発光状態／非発光状態は、以上に説明した状態に限定するものではない。また、水平走査期間の時間長は、（１／ＦＲ）×（１／Ｍ）秒未満の時間長である。（ｍ＋ｍ’）の値がＭを越える場合、越えた分の水平走査期間は、次の表示フレームにおいて処理される。【００７５】
１つのトランジスタの有する２つのソース／ドレイン領域において、「一方のソース／ドレイン領域」という用語を、電源部に接続された側のソース／ドレイン領域といった意味において使用する場合がある。また、トランジスタがオン状態にあるとは、ソース／ドレイン領域間にチャネルが形成されている状態を意味する。係るトランジスタの一方のソース／ドレイン領域から他方のソース／ドレイン領域に電流が流れているか否かは問わない。一方、トランジスタがオフ状態にあるとは、ソース／ドレイン領域間にチャネルが形成されていない状態を意味する。また、或るトランジスタのソース／ドレイン領域が他のトランジスタのソース／ドレイン領域に接続されているとは、或るトランジスタのソース／ドレイン領域と他のトランジスタのソース／ドレイン領域とが同じ領域を占めている形態を包含する。更には、ソース／ドレイン領域は、不純物を含有したポリシリコンやアモルファスシリコン等の導電性物質から構成することができるだけでなく、金属、合金、導電性粒子、これらの積層構造、有機材料（導電性高分子）から成る層から構成することができる。また、以下の説明で用いるタイミングチャートにおいて、各期間を示す横軸の長さ（時間長）は模式的なものであり、各期間の時間長の割合を示すものではない。【００７６】
図４等に示す駆動回路を用いた発光部ＥＬＰの駆動方法は、例えば、
（ａ）第１ノードＮＤ1と第２ノードＮＤ2との間の電位差が、駆動トランジスタＴＲDの閾値電圧を越え、且つ、第２ノードＮＤ2と発光部ＥＬＰに備えられたカソード電極との間の電位差が、発光部ＥＬＰの閾値電圧を越えないように、第１ノードＮＤ1に第１ノード初期化電圧を印加し、第２ノードＮＤ2に第２ノードＮＤ2初期化電圧を印加する前処理を行い、次いで、
（ｂ）第１ノードＮＤ1の電位を保った状態で、第１ノードＮＤ1の電位から駆動トランジスタＴＲDの閾値電圧を減じた電位に向かって、第２ノードＮＤ2の電位を変化させる閾値電圧キャンセル処理を行い、その後、
（ｃ）走査線ＳＣＬからの信号によりオン状態とされた書込みトランジスタＴＲWを介して、データ線ＤＴＬから映像信号を第１ノードＮＤ1に印加する書込み処理を行い、次いで、
（ｄ）走査線ＳＣＬからの信号により書込みトランジスタＴＲWをオフ状態とすることにより第１ノードＮＤ1を浮遊状態とし、電源部２１００から駆動トランジスタＴＲDを介して、第１ノードＮＤ1と第２ノードＮＤ2との間の電位差の値に応じた電流を発光部ＥＬＰに流すことにより、発光部ＥＬＰを駆動する、
工程から成る。【００７７】
上述したように、前記工程（ｂ）において、第１ノードＮＤ1の電位から駆動トランジスタＴＲDの閾値電圧を減じた電位に向かって、第２ノードＮＤ2の電位を変化させる閾値電圧キャンセル処理を行なう。より具体的には、第１ノードＮＤ1の電位から駆動トランジスタＴＲDの閾値電圧を減じた電位に向かって第２ノードＮＤ2の電位を変化させるために、前記工程（ａ）における第２ノードＮＤ2の電位に駆動トランジスタＴＲDの閾値電圧を加えた電圧を超える電圧を、駆動トランジスタＴＲDの一方のソース／ドレイン領域に印加する。定性的には、閾値電圧キャンセル処理において、第１ノードＮＤ1と第２ノードＮＤ2との間の電位差（換言すれば、駆動トランジスタＴＲDのゲート電極とソース領域との間の電位差）が駆動トランジスタＴＲDの閾値電圧に近づく程度は、閾値電圧キャンセル処理の時間により左右される。従って、例えば閾値電圧キャンセル処理の時間を充分長く確保した形態にあっては、第２ノードＮＤ2の電位は第１ノードＮＤ1の電位から駆動トランジスタＴＲDの閾値電圧を減じた電位に達する。そして、第１ノードＮＤ1と第２ノードＮＤ2との間の電位差は駆動トランジスタＴＲDの閾値電圧に達し、駆動トランジスタＴＲDはオフ状態となる。一方、例えば閾値電圧キャンセル処理の時間を短く設定せざるを得ない形態にあっては、第１ノードＮＤ1と第２ノードＮＤ2との間の電位差が駆動トランジスタＴＲDの閾値電圧より大きく、駆動トランジスタＴＲDはオフ状態とはならない場合がある。閾値電圧キャンセル処理の結果として、必ずしも駆動トランジスタＴＲDがオフ状態となることを要しない。【００７８】
次いで、各駆動回路毎に、駆動回路の構成、及び、これらの駆動回路を用いた発光部ＥＬＰの駆動方法に関して、以下、詳しく説明する。【００７９】
［５Ｔｒ／１Ｃ駆動回路］
５Ｔｒ／１Ｃ駆動回路の等価回路図を図４に示し、図４に示した５Ｔｒ／１Ｃ駆動回路の駆動のタイミングチャートを模式的に図５に示し、図４に示した５Ｔｒ／１Ｃ駆動回路の各トランジスタのオン／オフ状態等を模式的に図６Ａ〜図６Ｉに示す。【００８０】
この５Ｔｒ／１Ｃ駆動回路は、書込みトランジスタＴＲW、駆動トランジスタＴＲD、第１トランジスタＴＲ1、第２トランジスタＴＲ2、第３トランジスタＴＲ3の５つのトランジスタから構成され、更には、１つの容量部Ｃ1から構成されている。尚、書込みトランジスタＴＲW、第１トランジスタＴＲ1、第２トランジスタＴＲ2、及び、第３トランジスタＴＲ3をｐチャネル型のＴＦＴから形成してもよい。【００８１】
［第１トランジスタＴＲ1］
第１トランジスタＴＲ1の一方のソース／ドレイン領域は、電源部２１００（電圧ＶCC）に接続され、第１トランジスタＴＲ1の他方のソース／ドレイン領域は、駆動トランジスタＴＲDの一方のソース／ドレイン領域に接続されている。また、第１トランジスタＴＲ1のオン／オフ動作は、第１トランジスタ制御回路２１１１から伸びて、第１トランジスタＴＲ1のゲート電極に接続された第１トランジスタ制御線ＣＬ1によって制御される。電源部２１００は、発光部ＥＬＰに電流を供給し、発光部ＥＬＰを発光させるために設けられている。【００８２】
［駆動トランジスタＴＲD］
駆動トランジスタＴＲDの一方のソース／ドレイン領域は、上述のとおり、第１トランジスタＴＲ1の他方のソース／ドレイン領域に接続されている。一方、駆動トランジスタＴＲDの他方のソース／ドレイン領域は、
（１）発光部ＥＬＰのアノード電極、
（２）第２トランジスタＴＲ2の他方のソース／ドレイン領域、及び、
（３）容量部Ｃ1の一方の電極、
に接続されており、第２ノードＮＤ2を構成する。また、駆動トランジスタＴＲDのゲート電極は、
（１）書込みトランジスタＴＲWの他方のソース／ドレイン領域、
（２）第３トランジスタＴＲ3の他方のソース／ドレイン領域、及び、
（３）容量部Ｃ1の他方の電極、
に接続されており、第１ノードＮＤ1を構成する。【００８３】
ここで、駆動トランジスタＴＲDは、発光素子の発光状態においては、以下の式（１）に従ってドレイン電流Ｉdsを流すように駆動される。発光素子の発光状態においては、駆動トランジスタＴＲDの一方のソース／ドレイン領域はドレイン領域として働き、他方のソース／ドレイン領域はソース領域として働く。説明の便宜のため、以下の説明において、駆動トランジスタＴＲDの一方のソース／ドレイン領域を単にドレイン領域と呼び、他方のソース／ドレイン領域を単にソース領域と呼ぶ場合がある。尚、
μ  ：実効的な移動度
Ｌ  ：チャネル長
Ｗ  ：チャネル幅
Ｖgs：ゲート電極とソース領域との間の電位差
Ｖth：閾値電圧
Ｃox：（ゲート絶縁層の比誘電率）×（真空の誘電率）／（ゲート絶縁層の厚さ）
ｋ≡（１／２）・（Ｗ／Ｌ）・Ｃox
とする。【００８４】
Ｉds＝ｋ・μ・（Ｖgs−Ｖth）2    （１）【００８５】
このドレイン電流Ｉdsが発光部ＥＬＰを流れることで、発光部ＥＬＰが発光する。更には、このドレイン電流Ｉdsの値の大小によって、発光部ＥＬＰにおける発光状態（輝度）が制御される。【００８６】
［書込みトランジスタＴＲW］
書込みトランジスタＴＲWの他方のソース／ドレイン領域は、上述のとおり、駆動トランジスタＴＲDのゲート電極に接続されている。一方、書込みトランジスタＴＲWの一方のソース／ドレイン領域は、信号出力回路２１０２から伸びるデータ線ＤＴＬに接続されている。そして、データ線ＤＴＬを介して、発光部ＥＬＰにおける輝度を制御するための映像信号ＶSigが、一方のソース／ドレイン領域に供給される。尚、データ線ＤＴＬを介して、ＶSig以外の種々の信号・電圧（プリチャージ駆動のための信号や各種の基準電圧等）が、一方のソース／ドレイン領域に供給されてもよい。また、書込みトランジスタＴＲWのオン／オフ動作は、走査回路２１０１から伸びて、書込みトランジスタＴＲWのゲート電極に接続された走査線ＳＣＬによって制御される。【００８７】
［第２トランジスタＴＲ2］
第２トランジスタＴＲ2の他方のソース／ドレイン領域は、上述のとおり、駆動トランジスタＴＲDのソース領域に接続されている。一方、第２トランジスタＴＲ2の一方のソース／ドレイン領域には、第２ノードＮＤ2の電位（即ち、駆動トランジスタＴＲDのソース領域の電位）を初期化するための電圧ＶSSが供給される。また、第２トランジスタＴＲ2のオン／オフ動作は、第２トランジスタ制御回路２１１２から伸びて、第２トランジスタＴＲ2のゲート電極に接続された第２トランジスタ制御線ＡＺ2によって制御される。【００８８】
［第３トランジスタＴＲ3］
第３トランジスタＴＲ3の他方のソース／ドレイン領域は、上述のとおり、駆動トランジスタＴＲDのゲート電極に接続されている。一方、第３トランジスタＴＲ3の一方のソース／ドレイン領域には、第１ノードＮＤ1の電位（即ち、駆動トランジスタＴＲDのゲート電極の電位）を初期化するための電圧ＶOfsが供給される。また、第３トランジスタＴＲ3のオン／オフ動作は、第３トランジスタ制御回路２１１３から伸びて、第３トランジスタＴＲ3のゲート電極に接続された第３トランジスタ制御線ＡＺ3によって制御される。【００８９】
［発光部ＥＬＰ］
発光部ＥＬＰのアノード電極は、上述のとおり、駆動トランジスタＴＲDのソース領域に接続されている。一方、発光部ＥＬＰのカソード電極には、電圧ＶCatが印加される。発光部ＥＬＰの容量を符号ＣELで表す。また、発光部ＥＬＰの発光に必要とされる閾値電圧をＶth-ELとする。即ち、発光部ＥＬＰのアノード電極とカソード電極との間にＶth-EL以上の電圧が印加されると、発光部ＥＬＰは発光する。【００９０】
以下の説明において、電圧あるいは電位の値を以下のとおりとするが、これは、あくまでも説明のための値であり、これらの値に限定されるものではない。【００９１】
ＶSig  ：発光部ＥＬＰにおける輝度を制御するための映像信号
・・・０ボルト〜１０ボルト
ＶCC   ：電源部２１００の電圧
・・・２０ボルト
ＶOfs  ：駆動トランジスタＴＲDのゲート電極の電位（第１ノードＮＤ1の電位）を初期化するための電圧
・・・０ボルト
ＶSS   ：駆動トランジスタＴＲDのソース領域の電位（第２ノードＮＤ2の電位）を初期化するための電圧
・・・−１０ボルト
Ｖth   ：駆動トランジスタＴＲDの閾値電圧
・・・３ボルト
ＶCat  ：発光部ＥＬＰのカソード電極に印加される電圧
・・・０ボルト
Ｖth-EL：発光部ＥＬＰの閾値電圧
・・・３ボルト【００９２】
以下、５Ｔｒ／１Ｃ駆動回路の動作説明を行う。尚、上述したように、各種の処理（閾値電圧キャンセル処理、書込み処理、移動度補正処理）が全て完了した後、直ちに発光状態が始まるものとして説明するが、これに限るものではない。後述する４Ｔｒ／１Ｃ駆動回路、３Ｔｒ／１Ｃ駆動回路、２Ｔｒ／１Ｃ駆動回路の説明においても同様である。【００９３】
［期間−ＴＰ（５）-1］（図５及び図６Ａ参照）
この［期間−ＴＰ（５）-1］は、例えば、前の表示フレームにおける動作であり、前回の各種の処理完了後に第（ｎ，ｍ）番目の発光素子が発光状態にある期間である。即ち、第（ｎ，ｍ）番目の副画素を構成する発光素子における発光部ＥＬＰには、後述する式（５）に基づくドレイン電流Ｉ’dsが流れており、第（ｎ，ｍ）番目の副画素を構成する発光素子の輝度は、係るドレイン電流Ｉ’dsに対応した値である。ここで、書込みトランジスタＴＲW、第２トランジスタＴＲ2及び第３トランジスタＴＲ3はオフ状態であり、第１トランジスタＴＲ1及び駆動トランジスタＴＲDはオン状態である。第（ｎ，ｍ）番目の発光素子の発光状態は、第（ｍ＋ｍ’）行目に配列された発光素子の水平走査期間の開始直前まで継続される。【００９４】
図５に示す［期間−ＴＰ（５）0］〜［期間−ＴＰ（５）4］は、前回の各種の処理完了後の発光状態が終了した後から、次の書込み処理が行われる直前までの動作期間である。即ち、この［期間−ＴＰ（５）0］〜［期間−ＴＰ（５）4］は、例えば、前の表示フレームにおける第（ｍ＋ｍ’）番目の水平走査期間の始期から、現表示フレームにおける第（ｍ−１）番目の水平走査期間の終期までの或る時間長さの期間である。尚、［期間−ＴＰ（５）1］〜［期間−ＴＰ（５）4］を、現表示フレームにおける第ｍ番目の水平走査期間内に含む構成とすることもできる。【００９５】
そして、この［期間−ＴＰ（５）0］〜［期間−ＴＰ（５）4］において、第（ｎ，ｍ）番目の発光素子は原則として非発光状態にある。即ち、［期間−ＴＰ（５）0］〜［期間−ＴＰ（５）1］、［期間−ＴＰ（５）3］〜［期間−ＴＰ（５）4］においては、第１トランジスタＴＲ1はオフ状態であるので、発光素子は発光しない。尚、［期間−ＴＰ（５）2］においては、第１トランジスタＴＲ1はオン状態となる。しかし、この期間においては後述する閾値電圧キャンセル処理が行われている。閾値電圧キャンセル処理の説明において詳しく述べるが、後述する式（２）を満たすことを前提とすれば、発光素子が発光することはない。【００９６】
以下、［期間−ＴＰ（５）0］〜［期間−ＴＰ（５）4］の各期間について、先ず、説明する。尚、［期間−ＴＰ（５）1］の始期や、［期間−ＴＰ（５）1］〜［期間−ＴＰ（５）4］の各期間の長さは、表示装置の設計に応じて適宜設定すればよい。【００９７】
［期間−ＴＰ（５）0］
上述したように、この［期間−ＴＰ（５）0］において、第（ｎ，ｍ）番目の発光素子は、非発光状態にある。書込みトランジスタＴＲW、第２トランジスタＴＲ2、第３トランジスタＴＲ3はオフ状態である。また、［期間−ＴＰ（５）-1］から［期間−ＴＰ（５）0］に移る時点で、第１トランジスタＴＲ1がオフ状態となるが故に、第２ノードＮＤ2（駆動トランジスタＴＲDのソース領域あるいは発光部ＥＬＰのアノード電極）の電位は、（Ｖth-EL＋ＶCat）まで低下し、発光部ＥＬＰは非発光状態となる。また、第２ノードＮＤ2の電位低下に倣うように、浮遊状態の第１ノードＮＤ1（駆動トランジスタＴＲDのゲート電極）の電位も低下する。【００９８】
［期間−ＴＰ（５）1］（図６Ｂ及び図６Ｃ参照）
この［期間−ＴＰ（５）1］において、後述する閾値電圧キャンセル処理を行うための前処理が行われる。即ち、［期間−ＴＰ（５）1］の開始時、第２トランジスタ制御線ＡＺ2及び第３トランジスタ制御線ＡＺ3をハイレベルとすることによって、第２トランジスタＴＲ2及び第３トランジスタＴＲ3をオン状態とする。その結果、第１ノードＮＤ1の電位は、ＶOfs（例えば、０ボルト）となる。一方、第２ノードＮＤ2の電位は、ＶSS（例えば、−１０ボルト）となる。そして、この［期間−ＴＰ（５）1］の完了以前において、第２トランジスタ制御線ＡＺ2をローレベルとすることによって、第２トランジスタＴＲ2をオフ状態とする。尚、第２トランジスタＴＲ2及び第３トランジスタＴＲ3を同時にオン状態としてもよいし、第２トランジスタＴＲ2を先にオン状態としてもよいし、第３トランジスタＴＲ3を先にオン状態としてもよい。【００９９】
以上の処理により、駆動トランジスタＴＲDのゲート電極とソース領域との間の電位差がＶth以上となる。駆動トランジスタＴＲDはオン状態である。【０１００】
［期間−ＴＰ（５）2］（図６Ｄ参照）
次に、閾値電圧キャンセル処理が行われる。即ち、第３トランジスタＴＲ3のオン状態を維持したまま、第１トランジスタ制御線ＣＬ1をハイレベルとすることによって、第１トランジスタＴＲ1をオン状態とする。その結果、第１ノードＮＤ1の電位は変化しないが（ＶOfs＝０ボルトを維持）、第１ノードＮＤ1の電位から駆動トランジスタＴＲDの閾値電圧Ｖthを減じた電位に向かって、第２ノードＮＤ2の電位は変化する。即ち、浮遊状態の第２ノードＮＤ2の電位が上昇する。そして、駆動トランジスタＴＲDのゲート電極とソース領域との間の電位差がＶthに達すると、駆動トランジスタＴＲDがオフ状態となる。具体的には、浮遊状態の第２ノードＮＤ2の電位が（ＶOfs−Ｖth＝−３ボルト＞ＶSS）に近づき、最終的に（ＶOfs−Ｖth）となる。ここで、以下の式（２）が保証されていれば、云い換えれば、式（２）を満足するように電位を選択、決定しておけば、発光部ＥＬＰが発光することはない。【０１０１】
（ＶOfs−Ｖth）＜（Ｖth-EL＋ＶCat）    （２）【０１０２】
この［期間−ＴＰ（５）2］にあっては、第２ノードＮＤ2の電位は、最終的に、（ＶOfs−Ｖth）となる。即ち、駆動トランジスタＴＲDの閾値電圧Ｖth、及び、駆動トランジスタＴＲDのゲート電極を初期化するための電圧ＶOfsのみに依存して、第２ノードＮＤ2の電位は決定される。云い換えれば、発光部ＥＬＰの閾値電圧Ｖth-ELには依存しない。【０１０３】
［期間−ＴＰ（５）3］（図６Ｅ参照）
その後、第３トランジスタＴＲ3のオン状態を維持したまま、第１トランジスタ制御線ＣＬ1をローレベルとすることによって、第１トランジスタＴＲ1をオフ状態とする。その結果、第１ノードＮＤ1の電位は変化せず（ＶOfs＝０ボルトを維持）、浮遊状態の第２ノードＮＤ2の電位も変化せず、（ＶOfs−Ｖth＝−３ボルト）を保持する。【０１０４】
［期間−ＴＰ（５）4］（図６Ｆ参照）
次いで、第３トランジスタ制御線ＡＺ3をローレベルとすることによって、第３トランジスタＴＲ3をオフ状態とする。第１ノードＮＤ1及び第２ノードＮＤ2の電位は、実質上、変化しない。実際には、寄生容量等の静電結合により電位変化が生じ得るが、通常、これらは無視することができる。【０１０５】
次いで、［期間−ＴＰ（５）5］〜［期間−ＴＰ（５）7］の各期間について説明する。尚、後述するように、［期間−ＴＰ（５）5］において書込み処理が行われ、［期間−ＴＰ（５）6］において移動度補正処理が行われる。上述したように、これらの処理は、第ｍ番目の水平走査期間内に行われる必要がある。説明の便宜のため、［期間−ＴＰ（５）5］の始期と［期間−ＴＰ（５）6］の終期とは、それぞれ、第ｍ番目の水平走査期間の始期と終期とに一致するものとして説明する。【０１０６】
［期間−ＴＰ（５）5］（図６Ｇ参照）
その後、駆動トランジスタＴＲDに対する書込み処理を実行する。具体的には、第１トランジスタＴＲ1、第２トランジスタＴＲ2、及び、第３トランジスタＴＲ3のオフ状態を維持したまま、データ線ＤＴＬの電位を、発光部ＥＬＰにおける輝度を制御するための映像信号ＶSigとし、次いで、走査線ＳＣＬをハイレベルとすることによって、書込みトランジスタＴＲWをオン状態とする。その結果、第１ノードＮＤ1の電位は、ＶSigへと上昇する。【０１０７】
ここで、容量部Ｃ1の容量を値ｃ1と表し、発光部ＥＬＰの容量ＣELの容量を値ｃELと表す。そして、駆動トランジスタＴＲDのゲート電極とソース領域との間の寄生容量の値をｃgsとする。駆動トランジスタＴＲDのゲート電極の電位がＶOfsからＶSig（＞ＶOfs）に変化したとき、容量部Ｃ1の両端の電位（第１ノードＮＤ1及び第２ノードＮＤ2の電位）は、原則として、変化する。即ち、駆動トランジスタＴＲDのゲート電極の電位（＝第１ノードＮＤ1の電位）の変化分（ＶSig−ＶOfs）に基づく電荷が、容量部Ｃ1、発光部ＥＬＰの容量ＣEL、駆動トランジスタＴＲDのゲート電極とソース領域との間の寄生容量に振り分けられる。然るに、値ｃELが、値ｃ1及び値ｃgsと比較して十分に大きな値であれば、駆動トランジスタＴＲDのゲート電極の電位の変化分（ＶSig−ＶOfs）に基づく駆動トランジスタＴＲDのソース領域（第２ノードＮＤ2）の電位の変化は小さい。そして、一般に、発光部ＥＬＰの容量ＣELの容量値ｃELは、容量部Ｃ1の容量値ｃ1及び駆動トランジスタＴＲDの寄生容量の値ｃgsよりも大きい。そこで、説明の便宜のため、特段の必要がある場合を除き、第１ノードＮＤ1の電位変化により生ずる第２ノードＮＤ2の電位変化は考慮せずに説明を行う。他の駆動回路においても同様である。尚、図５に示した駆動のタイミングチャートも、第１ノードＮＤ1の電位変化により生ずる第２ノードＮＤ2の電位変化を考慮せずに示した。駆動トランジスタＴＲDのゲート電極（第１ノードＮＤ1）の電位をＶg、駆動トランジスタＴＲDのソース領域（第２ノードＮＤ2）の電位をＶsとしたとき、Ｖgの値、Ｖsの値は以下のとおりとなる。それ故、第１ノードＮＤ1と第２ノードＮＤ2の電位差、換言すれば、駆動トランジスタＴＲDのゲート電極とソース領域との間の電位差Ｖgsは、以下の式（３）で表すことができる。【０１０８】
Ｖg ＝ＶSig
Ｖs ≒ＶOfs−Ｖth
Ｖgs≒ＶSig−（ＶOfs−Ｖth）      （３）【０１０９】
即ち、駆動トランジスタＴＲDに対する書込み処理において得られたＶgsは、発光部ＥＬＰにおける輝度を制御するための映像信号ＶSig、駆動トランジスタＴＲDの閾値電圧Ｖth、及び、駆動トランジスタＴＲDのゲート電極を初期化するための電圧ＶOfsのみに依存している。そして、発光部ＥＬＰの閾値電圧Ｖth-ELとは無関係である。【０１１０】
［期間−ＴＰ（５）6］（図６Ｈ参照）
その後、駆動トランジスタＴＲDの移動度μの大小に基づく駆動トランジスタＴＲDのソース領域（第２ノードＮＤ2）の電位の補正（移動度補正処理）を行う。【０１１１】
一般に、駆動トランジスタＴＲDをポリシリコン薄膜トランジスタ等から作製した場合、トランジスタ間で移動度μにばらつきが生じることは避け難い。従って、移動度μに差異がある複数の駆動トランジスタＴＲDのゲート電極に同じ値の映像信号ＶSigを印加したとしても、移動度μの大きい駆動トランジスタＴＲDを流れるドレイン電流Ｉdsと、移動度μの小さい駆動トランジスタＴＲDを流れるドレイン電流Ｉdsとの間に、差異が生じてしまう。そして、このような差異が生じると、表示装置の画面の均一性（ユニフォーミティ）が損なわれてしまう。【０１１２】
従って、具体的には、書込みトランジスタＴＲWのオン状態を維持したまま、第１トランジスタ制御線ＣＬ1をハイレベルとすることによって、第１トランジスタＴＲ1をオン状態とし、次いで、所定の時間（ｔ0）が経過した後、走査線ＳＣＬをローレベルとすることによって、書込みトランジスタＴＲWをオフ状態とし、第１ノードＮＤ1（駆動トランジスタＴＲDのゲート電極）を浮遊状態とする。そして、以上の結果、駆動トランジスタＴＲDの移動度μの値が大きい場合、駆動トランジスタＴＲDのソース領域における電位の上昇量ΔＶ（電位補正値）は大きくなり、駆動トランジスタＴＲDの移動度μの値が小さい場合、駆動トランジスタＴＲDのソース領域における電位の上昇量ΔＶ（電位補正値）は小さくなる。ここで、駆動トランジスタＴＲDのゲート電極とソース領域との間の電位差Ｖgsは、式（３）から以下の式（４）のように変形される。【０１１３】
Ｖgs≒ＶSig−（ＶOfs−Ｖth）−ΔＶ      （４）【０１１４】
尚、移動度補正処理を実行するための所定の時間（［期間−ＴＰ（５）6］の全時間ｔ0）は、表示装置の設計の際、設計値として予め決定しておけばよい。また、このときの駆動トランジスタＴＲDのソース領域における電位（ＶOfs−Ｖth＋ΔＶ）が以下の式（２’）を満足するように、［期間−ＴＰ（５）6］の全時間ｔ0は決定されている。そして、これによって、［期間−ＴＰ（５）6］において、発光部ＥＬＰが発光することはない。更には、この移動度補正処理によって、係数ｋ（≡（１／２）・（Ｗ／Ｌ）・Ｃox）のばらつきの補正も同時に行われる。【０１１５】
（ＶOfs−Ｖth＋ΔＶ）＜（Ｖth-EL＋ＶCat）    （２’）【０１１６】
［期間−ＴＰ（５）7］（図６Ｉ参照）
以上の操作によって、閾値電圧キャンセル処理、書込み処理、移動度補正処理が完了する。ところで、走査線ＳＣＬがローレベルとなる結果、書込みトランジスタＴＲWがオフ状態となり、第１ノードＮＤ1、即ち、駆動トランジスタＴＲDのゲート電極は浮遊状態となる。一方、第１トランジスタＴＲ1はオン状態を維持しており、駆動トランジスタＴＲDのドレイン領域は、電源部２１００（電圧ＶCC、例えば２０ボルト）に接続された状態にある。従って、以上の結果として、第２ノードＮＤ2の電位は上昇する。【０１１７】
ここで、上述したとおり、駆動トランジスタＴＲDのゲート電極は浮遊状態にあり、しかも、容量部Ｃ1が存在するが故に、所謂ブートストラップ回路におけると同様の現象が駆動トランジスタＴＲDのゲート電極に生じ、第１ノードＮＤ1の電位も上昇する。その結果、駆動トランジスタＴＲDのゲート電極とソース領域との間の電位差Ｖgsは、式（４）の値を保持する。【０１１８】
また、第２ノードＮＤ2の電位が上昇し、（Ｖth-EL＋ＶCat）を越えるので、発光部ＥＬＰは発光を開始する。このとき、発光部ＥＬＰを流れる電流は、駆動トランジスタＴＲDのドレイン領域からソース領域へと流れるドレイン電流Ｉdsであるので、式（１）で表すことができる。ここで、式（１）と式（４）から、式（１）は、以下の式（５）にように変形することができる。【０１１９】
Ｉds＝ｋ・μ・（ＶSig−ＶOfs−ΔＶ）2    （５）【０１２０】
従って、発光部ＥＬＰを流れる電流Ｉdsは、例えば、ＶOfsを０ボルトに設定したとした場合、発光部ＥＬＰにおける輝度を制御するための映像信号ＶSigの値から、駆動トランジスタＴＲDの移動度μに起因した第２ノードＮＤ2（駆動トランジスタＴＲDのソース領域）における電位補正値ΔＶの値を減じた値の２乗に比例する。云い換えれば、発光部ＥＬＰを流れる電流Ｉdsは、発光部ＥＬＰの閾値電圧Ｖth-EL、及び、駆動トランジスタＴＲDの閾値電圧Ｖthには依存しない。即ち、発光部ＥＬＰの発光量（輝度）は、発光部ＥＬＰの閾値電圧Ｖth-ELの影響、及び、駆動トランジスタＴＲDの閾値電圧Ｖthの影響を受けない。そして、第（ｎ，ｍ）番目の発光素子の輝度は、係る電流Ｉdsに対応した値である。【０１２１】
しかも、移動度μの大きな駆動トランジスタＴＲDほど、電位補正値ΔＶが大きくなるので、式（４）の左辺のＶgsの値が小さくなる。従って、式（５）において、移動度μの値が大きくとも、（ＶSig−ＶOfs−ΔＶ）2の値が小さくなる結果、ドレイン電流Ｉdsを補正することができる。即ち、移動度μの異なる駆動トランジスタＴＲDにおいても、映像信号ＶSigの値が同じであれば、ドレイン電流Ｉdsが略同じとなる結果、発光部ＥＬＰを流れ、発光部ＥＬＰの輝度を制御する電流Ｉdsが均一化される。即ち、移動度μのばらつき（更には、ｋのばらつき）に起因する発光部の輝度のばらつきを補正することができる。【０１２２】
発光部ＥＬＰの発光状態を第（ｍ＋ｍ’−１）番目の水平走査期間まで継続する。この時点は、［期間−ＴＰ（５）-1］の終わりに相当する。【０１２３】
以上によって、第（ｎ，ｍ）番目の副画素を構成する発光素子１０の発光の動作が完了する。【０１２４】
次に、２Ｔｒ／１Ｃ駆動回路に関する説明を行う。【０１２５】
［２Ｔｒ／１Ｃ駆動回路］
２Ｔｒ／１Ｃ駆動回路の等価回路図を図７に示し、駆動のタイミングチャートを模式的に図８に示し、各トランジスタのオン／オフ状態等を模式的に図９Ａ〜図９Ｆに示す。【０１２６】
この２Ｔｒ／１Ｃ駆動回路においては、前述した５Ｔｒ／１Ｃ駆動回路から、第１トランジスタＴＲ1、第２トランジスタＴＲ2、及び、第３トランジスタＴＲ3の３つのトランジスタが省略されている。即ち、この２Ｔｒ／１Ｃ駆動回路は、書込みトランジスタＴＲW、及び、駆動トランジスタＴＲDの２つのトランジスタから構成され、更には、１つの容量部Ｃ1から構成されている。【０１２７】
［駆動トランジスタＴＲD］
駆動トランジスタＴＲDの構成は、５Ｔｒ／１Ｃ駆動回路において説明した駆動トランジスタＴＲDの構成と同じであるので、詳細な説明は省略する。但し、駆動トランジスタＴＲDのドレイン領域は電源部２１００に接続されている。尚、電源部２１００からは、発光部ＥＬＰを発光させるための電圧ＶCC-H、及び、駆動トランジスタＴＲDのソース領域の電位を制御するための電圧ＶCC-Lが供給される。ここで、電圧ＶCC-H及びＶCC-Lの値として、
ＶCC-H＝  ２０ボルト
ＶCC-L＝−１０ボルト
を例示することができるが、これらの値に限定するものではない。【０１２８】
［書込みトランジスタＴＲW］
書込みトランジスタＴＲWの構成は、５Ｔｒ／１Ｃ駆動回路において説明した書込みトランジスタＴＲWの構成と同じであるので、詳細な説明は省略する。【０１２９】
［発光部ＥＬＰ］
発光部ＥＬＰの構成は、５Ｔｒ／１Ｃ駆動回路において説明した発光部ＥＬＰの構成と同じであるので、詳細な説明は省略する。【０１３０】
以下、２Ｔｒ／１Ｃ駆動回路の動作説明を行う。【０１３１】
［期間−ＴＰ（２）-1］（図８及び図９Ａ参照）
この［期間−ＴＰ（２）-1］は、例えば、前の表示フレームにおける動作であり、実質的に、５Ｔｒ／１Ｃ駆動回路において説明した［期間−ＴＰ（５）-1］と同じ動作である。【０１３２】
図８に示す［期間−ＴＰ（２）0］〜［期間−ＴＰ（２）2］は、図５に示す［期間−ＴＰ（５）0］〜［期間−ＴＰ（５）4］に対応する期間であり、次の書込み処理が行われる直前までの動作期間である。そして、５Ｔｒ／１Ｃ駆動回路と同様に、［期間−ＴＰ（２）0］〜［期間−ＴＰ（２）2］において、第（ｎ，ｍ）番目の発光素子は原則として非発光状態にある。但し、２Ｔｒ／１Ｃ駆動回路の動作においては、図８に示すように、［期間−ＴＰ（２）3］の他、［期間−ＴＰ（２）1］〜［期間−ＴＰ（２）2］も第ｍ番目の水平走査期間に包含される点が、５Ｔｒ／１Ｃ駆動回路の動作とは異なる。尚、説明の便宜のため、［期間−ＴＰ（２）1］の始期、及び、［期間−ＴＰ（２）3］の終期は、それぞれ、第ｍ番目の水平走査期間の始期、及び、終期に一致するものとして説明する。【０１３３】
以下、［期間−ＴＰ（２）0］〜［期間−ＴＰ（２）2］の各期間について、説明する。尚、５Ｔｒ／１Ｃ駆動回路において説明したと同様に、［期間−ＴＰ（２）1］〜［期間−ＴＰ（２）3］の各期間の長さは、表示装置の設計に応じて適宜設定すればよい。【０１３４】
［期間−ＴＰ（２）0］（図９Ｂ参照）
この［期間−ＴＰ（２）0］は、例えば、前の表示フレームから現表示フレームにおける動作である。即ち、この［期間−ＴＰ（２）0］は、前の表示フレームにおける第（ｍ＋ｍ’）番目の水平走査期間から、現表示フレームにおける第（ｍ−１）番目の水平走査期間までの期間である。そして、この［期間−ＴＰ（２）0］において、第（ｎ，ｍ）番目の発光素子は、非発光状態にある。ここで、［期間−ＴＰ（２）-1］から［期間−ＴＰ（２）0］に移る時点で、電源部２１００から供給される電圧を、ＶCC-Hから電圧ＶCC-Lに切り替える。その結果、第２ノードＮＤ2の電位はＶCC-Lまで低下し、発光部ＥＬＰは非発光状態となる。また、第２ノードＮＤ2の電位低下に倣うように、浮遊状態の第１ノードＮＤ1（駆動トランジスタＴＲDのゲート電極）の電位も低下する。【０１３５】
［期間−ＴＰ（２）1］（図９Ｃ参照）
そして、現表示フレームにおける第ｍ行目の水平走査期間が開始する。この［期間−ＴＰ（２）1］において、閾値電圧キャンセル処理を行うための前処理が行われる。［期間−ＴＰ（２）1］の開始時、走査線ＳＣＬをハイレベルとすることによって、書込みトランジスタＴＲWをオン状態とする。その結果、第１ノードＮＤ1の電位は、ＶOfs（例えば、０ボルト）となる。第２ノードＮＤ2の電位はＶCC-L（例えば、−１０ボルト）を保持する。【０１３６】
上記の処理により、駆動トランジスタＴＲDのゲート電極とソース領域との間の電位差がＶth以上となり、駆動トランジスタＴＲDはオン状態となる。【０１３７】
［期間−ＴＰ（２）2］（図９Ｄ参照）
次に、閾値電圧キャンセル処理が行われる。即ち、書込みトランジスタＴＲWのオン状態を維持したまま、電源部２１００から供給される電圧を、ＶCC-Lから電圧ＶCC-Hに切り替える。その結果、第１ノードＮＤ1の電位は変化しないが（ＶOfs＝０ボルトを維持）、第１ノードＮＤ1の電位から駆動トランジスタＴＲDの閾値電圧Ｖthを減じた電位に向かって、第２ノードＮＤ2の電位は変化する。即ち、浮遊状態の第２ノードＮＤ2の電位が上昇する。そして、駆動トランジスタＴＲDのゲート電極とソース領域との間の電位差がＶthに達すると、駆動トランジスタＴＲDがオフ状態となる。具体的には、浮遊状態の第２ノードＮＤ2の電位が（ＶOfs−Ｖth＝−３ボルト）に近づき、最終的に（ＶOfs−Ｖth）となる。ここで、上述した式（２）が保証されていれば、云い換えれば、式（２）を満足するように電位を選択、決定しておけば、発光部ＥＬＰが発光することはない。【０１３８】
この［期間−ＴＰ（２）2］にあっては、第２ノードＮＤ2の電位は、最終的に、（ＶOfs−Ｖth）となる。即ち、駆動トランジスタＴＲDの閾値電圧Ｖth、及び、駆動トランジスタＴＲDのゲート電極を初期化するための電圧ＶOfsのみに依存して、第２ノードＮＤ2の電位は決定される。そして、発光部ＥＬＰの閾値電圧Ｖth-ELとは無関係である。【０１３９】
［期間−ＴＰ（２）3］（図９Ｅ参照）
次に、駆動トランジスタＴＲDに対する書込み処理、及び、駆動トランジスタＴＲDの移動度μの大小に基づく駆動トランジスタＴＲDのソース領域（第２ノードＮＤ2）の電位の補正（移動度補正処理）を行う。具体的には、書込みトランジスタＴＲWのオン状態を維持したまま、データ線ＤＴＬの電位を、発光部ＥＬＰにおける輝度を制御するための映像信号ＶSigとする。その結果、第１ノードＮＤ1の電位はＶSigへと上昇し、駆動トランジスタＴＲDはオン状態となる。尚、書込みトランジスタＴＲWを、一旦、オフ状態とし、データ線ＤＴＬの電位を、発光部ＥＬＰにおける輝度を制御するための映像信号ＶSigに変更し、その後、走査線ＳＣＬをハイレベルとすることによって、書込みトランジスタＴＲWをオン状態とすることで、駆動トランジスタＴＲDをオン状態としてもよい。【０１４０】
５Ｔｒ／１Ｃ駆動回路において説明したと異なり、駆動トランジスタＴＲDのドレイン領域には電源部２１００から電位ＶCC-Hが印加されているので、駆動トランジスタＴＲDのソース領域の電位は上昇する。所定の時間（ｔ0）が経過した後、走査線ＳＣＬをローレベルとすることによって、書込みトランジスタＴＲWをオフ状態とし、第１ノードＮＤ1（駆動トランジスタＴＲDのゲート電極）を浮遊状態とする。尚、この［期間−ＴＰ（２）3］の全時間ｔ0は、第２ノードＮＤ2の電位が（ＶOfs−Ｖth＋ΔＶ）となるように、表示装置の設計の際、設計値として予め決定しておけばよい。【０１４１】
この［期間−ＴＰ（２）3］にあっても、駆動トランジスタＴＲDの移動度μの値が大きい場合、駆動トランジスタＴＲDのソース領域における電位の上昇量ΔＶは大きく、駆動トランジスタＴＲDの移動度μの値が小さい場合、駆動トランジスタＴＲDのソース領域における電位の上昇量ΔＶは小さい。【０１４２】
［期間−ＴＰ（２）4］（図９Ｅ参照）
以上の操作によって、閾値電圧キャンセル処理、書込み処理、移動度補正処理が完了する。そして、５Ｔｒ／１Ｃ駆動回路において説明した［期間−ＴＰ（５）7］と同じ処理がなされ、第２ノードＮＤ2の電位が上昇し、（Ｖth-EL＋ＶCat）を越えるので、発光部ＥＬＰは発光を開始する。このとき、発光部ＥＬＰを流れる電流は、前述した式（５）にて得ることができるので、発光部ＥＬＰを流れる電流Ｉdsは、発光部ＥＬＰの閾値電圧Ｖth-EL、及び、駆動トランジスタＴＲDの閾値電圧Ｖthには依存しない。即ち、発光部ＥＬＰの発光量（輝度）は、発光部ＥＬＰの閾値電圧Ｖth-ELの影響、及び、駆動トランジスタＴＲDの閾値電圧Ｖthの影響を受けない。加えて、駆動トランジスタＴＲDにおける移動度μのばらつきに起因したドレイン電流Ｉdsのばらつき発生を抑制することができる。【０１４３】
そして、発光部ＥＬＰの発光状態を第（ｍ＋ｍ’−１）番目の水平走査期間まで継続する。この時点は、［期間−ＴＰ（２）-1］の終わりに相当する。【０１４４】
以上によって、第（ｎ，ｍ）番目の副画素を構成する発光素子１０の発光の動作が完了する。【０１４５】
以上、好ましい例に基づき説明したが、本発明においては駆動回路の構成はこれらの例に限定されるものではない。各例において説明した表示装置、発光素子、駆動回路を構成する各種の構成要素の構成、構造、発光部の駆動方法における工程は例示であり、適宜、変更することができる。例えば、駆動回路として図１０に示した４Ｔｒ／１Ｃ駆動回路や、図１１に示した３Ｔｒ／１Ｃ駆動回路を用いてもよい。【０１４６】
また、５Ｔｒ／１Ｃ駆動回路の動作説明においては、書込み処理と移動度補正を別個に行ったが、これに限るものではない。２Ｔｒ／１Ｃ駆動回路の動作説明と同様に、書込み処理において移動度補正処理が併せて行われる構成とすることもできる。具体的には、発光制御トランジスタＴEL_Cをオン状態とした状態で、書込みトランジスタＴSigを介して、データ線ＤＴＬから映像信号ＶSig_mを第１ノードに印加する構成とすればよい。【０１４７】
次に、本発明の一実施形態にかかる信号レベル補正部１２８および信号レベル補正部１２８に関する構成要素について説明する。【０１４８】
図３は、本発明の一実施形態にかかる信号レベル補正部１２８および信号レベル補正部１２８に関する構成要素について説明する説明図である。以下、図３を用いて本発明の一実施形態にかかる信号レベル補正部１２８および信号レベル補正部１２８に関する構成要素について詳細に説明する。【０１４９】
静止画検波部１２２は、映像信号を順次入力し、入力した映像信号を用いてＲ、Ｇ、Ｂ各色の画素当たりの信号レベルの平均値を算出する。静止画検波部１２２で算出したＲ、Ｇ、Ｂ各色の信号レベルの平均値を用いて、静止画が表示されているかどうかの判定を制御部１０４で行う。【０１５０】
本実施形態における静止画かどうかの判定は、画面上の画像表示領域を複数の領域に分割し、分割した各領域単位で行う。そのため、静止画検波部１２２では、分割した各領域の画素当たりのＲ、Ｇ、Ｂ各色の信号レベルの平均値を算出し、制御部１０４に算出した平均値を送る。【０１５１】
図４は、本発明の一実施形態にかかる画面上の検出領域の分割について説明する説明図である。図４に示したように、本実施形態においては、画面上の検出領域は１辺のピクセル数が２のべき乗となるように分割する。【０１５２】
図６は、本発明の一実施形態にかかる画面上の検出領域の分割について、さらに具体的に説明する説明図である。図６に示したように、本発明の一実施形態にかかる表示装置１００は、横が９６０ピクセル、縦が５４０ピクセルの検出領域を有している。この検出領域を、図６のように１辺のピクセル数が２のべき乗となるように、９つの領域に分割する。【０１５３】
図６に示した例では、縦が８ピクセル（８＝２３）、横が６４ピクセル（６４＝２６）の４つの領域と、縦が５１２ピクセル（５１２＝２９）、横が６４ピクセルの２つの領域と、縦が８ピクセル、横が５１２ピクセルの２つの領域と、縦と横が共に５１２ピクセルの１つの領域とに分割している。なお、図６においては寸法線上に示した値と実際の長さとは必ずしも一致していない。【０１５４】
このように、各領域の１辺のピクセル数を２のべき乗とすることで、各領域に含まれる画素の数も２のべき乗となるので、信号レベルの平均値の計算を容易に行うことができる。【０１５５】
そして、それぞれの領域について、画素当たりのＲ、Ｇ、Ｂ各色の信号レベルの平均値を算出する。縦が８ピクセル、横が６４ピクセルの領域であれば、当該領域には５１２個の画素が含まれているので、Ｒ、Ｇ、Ｂ各色について信号レベルを加算し、５１２で割ることによって信号レベルの平均値を算出する。【０１５６】
本発明においては分割する領域の数や１辺のピクセル数は、図６に示した例に限られないことは言うまでもない。また、図６では、画面を複数の領域に分割した結果、各領域の形状が長方形となっているが、本発明はこれに限られず、画面を複数の領域に分割した結果、正方形となる領域を有するように分割してもよい。【０１５７】
さらに、本実施形態では画面を複数の領域に分割して信号レベルの平均値を算出したが、複数の領域に分割せずに、画面全体の信号レベルの平均値を算出してもよい。しかし、画面全体の信号レベルの平均値を算出すると、画面の一部分のみが動いている映像を表示している場合でも静止画と検出することができないため、画面を複数の領域に分割して信号レベルの平均値を算出することが望ましい。【０１５８】
制御部１０４は、静止画検波部１２２から出力された分割した各領域のＲ、Ｇ、Ｂ各色の平均値の情報を元に、静止画を表示し続けている領域が存在しているかどうかを判定する。そして、静止画を表示し続けている領域が１つでも存在していれば、焼き付き現象を防ぐために輝度を下げる補正係数（ゲイン）Ｃｒ’、Ｃｇ’、Ｃｂ’を算出して、信号レベル補正部１２８に送る。Ｃｒ’は赤色の映像信号に対して乗算するための補正係数であり、Ｃｇ’は緑色の映像信号に対して乗算するための補正係数であり、Ｃｂ’は青色の映像信号に対して乗算するための補正係数である。【０１５９】
制御部１０４は、静止画判定部１６２と、係数算出部１６４と、を含んで構成される。静止画判定部１６２は、静止画検波部１２２から出力された平均値に基づいて、画面に表示されているのが静止画かどうかの判定を行うものである。係数算出部１６４は、静止画判定部１６２で判定した結果、画面に静止画が表示されていると判定した場合に、画面に表示する画像の輝度を落とす係数を算出するものである。【０１６０】
静止画判定部１６２における静止画判定は、以下のように行う。まず、静止画検波部１２２から送られた領域ごとの各色の信号レベルの平均値の情報を、記憶部１５０に一時的に記憶しておく。次に、記憶部１５０に記憶されている、領域ごとの各色の直前の信号レベルの平均値と、領域ごとの各色の現在の信号レベルの平均値とを比較し、両者の間に所定値以上の差があれば、動画像を表示しているものと判定する。一方、両者の間の差が所定値未満であれば、静止画像を表示しているものと判定する。【０１６１】
制御部１０４において画面に表示される画像が静止画像かどうかを判定すると、判定結果に応じて、制御部１０４で静止画像を表示している度合いの値を変化させる。静止画像を表示している度合いのことを「静止画度」と称する。この静止画度を変化させて、静止画度に応じて制御部１０４でゲインの算出を行う。静止画度に応じてゲインの算出を行うことで、パネル１５８を通じて表示される画像の輝度を調節して、焼き付き現象を防ぐことができる。【０１６２】
静止画度は記憶部１５０に記憶される。静止画度は、表示装置１００が起動している間に情報として保持できていればよいので、揮発性を有する記憶部１５０に記憶することが望ましい。【０１６３】
信号レベル補正部１２８は、映像信号および制御部１０４で算出したゲインを入力し、入力した映像信号にゲインを乗算して、ゲインを乗算した後の映像信号を出力するものである。信号レベル補正部１２８で映像信号に対してゲインを乗算することで映像信号の信号レベルを落とし、画面に表示する画像の輝度を落とすことができる。その結果、有機ＥＬ素子の劣化を抑えることで焼き付き現象を防ぐことができる。【０１６４】
以上、本発明の一実施形態にかかる信号レベル補正部１２８および信号レベル補正部１２８に関する構成要素について説明した。次に、本発明の一実施形態にかかる静止画判定方法について説明する。【０１６５】
図５は、本発明の一実施形態にかかる静止画判定方法について説明する流れ図である。まず、ガンマ特性を有する映像信号に対して、リニア変換部１１６でリニア特性を有するように変換処理を行う（ステップＳ１０２）。【０１６６】
次に、静止画検波部１２２に入力された映像信号を用いて、Ｒ、Ｇ、Ｂ各色の信号レベルから、領域ごとの信号レベルの平均値を静止画検波部１２２で算出する（ステップＳ１０４）。信号レベルの平均値は、一の領域における信号レベルを全て加算したものを当該領域の画素数で割って算出する。【０１６７】
本実施形態においては、入力された映像信号からは、１フレームあたり１色の信号レベルを取得することができる。従って、Ｒ、Ｇ、Ｂ３色分の信号レベルを取得するには３フレーム分の映像信号を要する。【０１６８】
図１６Ａ、図１６Ｂ、および図１６Ｃは、本発明の一実施形態にかかる、各領域の信号レベルの計測の順番を説明する説明図であり、図１７は、静止画検波部１２２における信号レベルの計測について説明する説明図である。図１６Ａ、図１６Ｂ、図１６Ｃおよび図１７を用いて、静止画検波部１２２における信号レベルの計測の流れについて説明する。【０１６９】
まず、静止画検波部１２２にＮ番目のフレームの映像信号が入力された時点において、計測する座標及びサイズの設定を行う。図８に示した例では、静止画検波部１２２にＮ番目のフレームの映像信号が入力された時刻において、Ｔｏｐ領域、すなわち図１６Ａに示した領域の計測が開始される。【０１７０】
次に、静止画検波部１２２に（Ｎ＋１）番目のフレームの映像信号が入力された時点において、図１６Ａに示したＴｏｐ領域の赤色（Ｒ）の映像信号の信号レベルを計測し、（Ｎ＋２）番目のフレームの映像信号が入力された時点において、Ｔｏｐ領域の緑色（Ｇ）の映像信号の信号レベルを計測し、（Ｎ＋３）番目のフレームの映像信号が入力された時点において、Ｔｏｐ領域の青色（Ｂ）の映像信号の信号レベルを計測する。それぞれ計測して得られた値は、一時的に静止画検波部１２２の内部に保持しておく。計測した結果は、それぞれ（Ｎ＋２）番目、（Ｎ＋３）番目および（Ｎ＋４）番目のフレームの映像信号が入力された時点において得ることができる。【０１７１】
そして、（Ｎ＋４）番目のフレームの映像信号が入力された時点で、Ｔｏｐ領域のＲ、Ｇ、Ｂ３色分の信号レベルの値が揃うので、Ｒ、Ｇ、Ｂ各色の信号レベルの値を取得する。【０１７２】
（Ｎ＋３）番目のフレームの映像信号が入力された時点において、Ｃｅｎｔｅｒ領域、すなわち図１６Ｂに示した領域の計測を開始するための指示がなされる。【０１７３】
次に、（Ｎ＋４）番目のフレームの映像信号が入力された時点において、Ｃｅｎｔｅｒ領域の赤色（Ｒ）の映像信号の信号レベルを計測し、（Ｎ＋５）番目のフレームの映像信号が入力された時点において、Ｃｅｎｔｅｒ領域の緑色（Ｇ）の映像信号の信号レベルを計測し、（Ｎ＋６）番目のフレームの映像信号が入力された時点において、Ｃｅｎｔｅｒ領域の青色（Ｂ）の映像信号の信号レベルを計測する。計測して得られた値は保持しておく。計測した結果は、それぞれ（Ｎ＋５）番目、（Ｎ＋６）番目および（Ｎ＋７）番目のフレームの映像信号が入力された時点において得ることができる。【０１７４】
そして、（Ｎ＋７）番目のフレームの映像信号が入力された時点で、Ｃｅｎｔｅｒ領域のＲ、Ｇ、Ｂ３色分の信号レベルの値が揃うので、Ｒ、Ｇ、Ｂ各色の信号レベルの値を取得する。【０１７５】
（Ｎ＋６）番目のフレームの映像信号が入力された時点において、Ｂｏｔｔｏｍ領域、すなわち図１６Ｃに示した領域の計測を開始するための指示がなされる。【０１７６】
次に、（Ｎ＋７）番目のフレームの映像信号が入力された時点において、Ｂｏｔｔｏｍ領域の赤色（Ｒ）の映像信号の信号レベルを計測し、（Ｎ＋８）番目のフレームの映像信号が入力された時点において、Ｂｏｔｔｏｍ領域の緑色（Ｇ）の映像信号の信号レベルを計測し、（Ｎ＋９）番目のフレームの映像信号が入力された時点において、Ｂｏｔｔｏｍ領域の青色（Ｂ）の映像信号の信号レベルを計測する。計測して得られた値は保持しておく。計測した結果は、それぞれ（Ｎ＋８）番目、（Ｎ＋９）番目および（Ｎ＋１０）番目のフレームの映像信号が入力された時点において得ることができる。【０１７７】
そして、（Ｎ＋１０）番目のフレームの映像信号が入力された時点で、Ｂｏｔｔｏｍ領域のＲ、Ｇ、Ｂ３色分の信号レベルの値が揃うので、Ｒ、Ｇ、Ｂ各色の信号レベルの値を取得する。【０１７８】
このように、本実施形態においては、画面上の９つの領域に対して信号レベルの取得を行うため、９つの領域でＲ、Ｇ、Ｂ３色分の信号レベルを取得するには、９フレーム分の映像信号を要する。そのため、静止画検波部１２２においては、９レーム分の時間を１つのサイクルとして、画面上の９つの領域でＲ、Ｇ、Ｂ３色分の信号レベルを順次取得する。【０１７９】
静止画検波部１２２で画面上の各領域でＲ、Ｇ、Ｂ３色分の信号レベルを取得すると、取得した信号レベルの平均値を領域ごとに順次算出する。そして、算出した信号レベルの平均値を静止画検波部１２２から制御部１０４に送る。【０１８０】
ここで、信号レベルの平均値の算出タイミングは１種類に限定されないことはいうまでもない。例えば、信号レベルの平均値の算出は各色の信号レベルの取得が完了した時点で順次行ってもよく、１つの領域でＲ、Ｇ、Ｂ各色の信号レベルの取得が完了した時点で行ってもよく、１画面分、つまり９領域全てのＲ、Ｇ、Ｂ各色の信号レベルの取得が完了した時点で行ってもよい。【０１８１】
制御部１０４は、静止画検波部１２２から各領域の信号レベルの平均値を取得すると、取得した各領域の信号レベルの平均値を用いて、画面上に静止画が表示されているかどうかの判定である静止画判定を行う。本実施形態においては、静止画判定は、同一の領域に対して、直前に取得した信号レベルの平均値と、現在の信号レベルの平均値との差分を取得して、当該差分が所定量以上であるかどうかによって行う。【０１８２】
そして、Ｒ、Ｇ、Ｂ３色の内、どれか１色でも差分が所定量以上である場合には、制御部１０４は現在の映像信号によって画面に動画像が表示されているものと判定し、Ｒ、Ｇ、Ｂ全ての色において、差分が所定量未満である場合には、静止画判定部１６２は現在の映像信号によって画面に静止画像が表示されているものと判定する。【０１８３】
本実施形態においては、画面上の全ての領域の各色の信号レベルは９フレーム分の時間周期で取得することができるので、静止画判定部１６２における静止画判定も９フレーム分の時間周期で行う。【０１８４】
図９は、本発明の一実施形態にかかる静止画判定について説明する説明図である。図９は、本実施形態において設定した画面上の９つの領域の内の１つの領域に着目し、Ｒ、Ｇ、Ｂ各色の信号レベルの平均値を９フレーム周期（９Ｖ周期）で比較することで静止画判定を行う場合について説明するものである。【０１８５】
図９において、ＲＮはＮ番目のフレームの映像信号が入力された時点における赤色（Ｒ）の信号レベルの平均値を表している。同様に、ＧＮはＮ番目のフレームの映像信号が入力された時点における緑色（Ｇ）の信号レベルの平均値を表し、ＢＮはＮ番目のフレームの映像信号が入力された時点における青色（Ｂ）の信号レベルの平均値を表している。【０１８６】
Ｒ、Ｇ、Ｂ各色の信号レベルの平均値を９フレーム周期（９Ｖ周期）で比較するので、静止画判定部１６２は、Ｎ番目のフレームの映像信号が入力された時点における赤色の信号レベルの平均値であるＲＮと、（Ｎ＋９）番目のフレームの映像信号が入力された時点における赤色の信号レベルの平均値であるＲＮ＋９とを比較する。同様に、ＧＮと（Ｎ＋９）番目のフレームの映像信号が入力された時点における緑色の信号レベルの平均値であるＧＮ＋９、ＢＮと（Ｎ＋９）番目のフレームの映像信号が入力された時点における青色の信号レベルの平均値であるＢＮ＋９とを比較する。【０１８７】
そして両者を比較した結果、各色の信号レベルの平均値の差分が所定量以上である場合には、静止画判定部１６２は画面上の当該領域に動画像が表示されているものと判定し、一方、Ｒ、Ｇ、Ｂ全ての色において、差分が所定量未満である場合には、制御部１０４は画面上の当該領域に静止画像が表示されているものと判定する。【０１８８】
静止画判定部１６２で静止画判定を行うと、続いて、静止画判定の結果に応じて画面上の各領域における静止画度を算出する（ステップＳ１０６）。上述したように、静止画度とは静止画像を表示している度合いのことであり、静止画度が大きければ大きいほど、その領域は静止画像を表示し続けていることになる。【０１８９】
静止画判定部１６２での静止画判定の結果、判定の対象である領域に静止画像が表示されていると判定した場合には、記憶部１５０に記憶されている静止画度を所定量増加させる。一方、制御部１０４での静止画判定の結果、判定の対象である領域に動画像が表示されていると判定した場合には、記憶部１５０に記憶されている静止画度を所定量減少させる。ここで、本発明においては静止画度の増加量と減少量は同じであってもよく、異なる値であってもよい。本実施形態においては、静止画度の増加量を減少量より大きく取ることとする。【０１９０】
図１０は、本発明の一実施形態にかかる、静止画度と時間との関係をグラフで示す説明図である。図１０に示したグラフは、横軸が時間を、縦軸が静止画度（ｓＭＡＰ）を表しており、時間の経過と共に静止画度の値が上下している様子を示している。図１０に示したように、連続して静止画が表示されていると制御部１０４で判定されれば、後述するように制御部１０４でゲインを算出する。また、静止画度を更新する際に、静止画度の増加量を減少量より大きく取ることで、静止画像を表示している時間より長時間動画像を表示しなければ、静止画度が元のレベルまで戻らないので、静止画の表示による画面の焼き付き現象を効果的に抑えることができる。【０１９１】
静止画判定部１６２が、記憶部１５０に記憶されている画面上の各領域における静止画度を更新すると、次に、係数算出部１６４で、記憶部１５０に記憶されている画面上の各領域の静止画度を検出し、静止画像を表示し続けている領域の存在を確認する。少なくとも画面上の１つの領域で静止画像を表示し続けていることが確認できれば、表示装置１００の画面に表示する画像の輝度を下げるためにゲインを算出する。係数算出部１６４は、Ｒ、Ｇ、Ｂの色ごとにゲインを算出する。【０１９２】
ゲインは、静止画像を表示している領域のみの輝度を下げるもののみを算出してもよく、画面全体の輝度を下げるものを併せて算出してもよい。しかし、静止画像を表示している領域のみの輝度を下げると、表示装置１００に表示される画像を見ている者に対して違和感を与えるおそれがあるので、画面全体の輝度を下げるものを併せて算出し、画面全体の輝度を少し下げた後に静止画像を表示している領域のみの輝度を下げることが望ましい。【０１９３】
本実施形態においては、画面全体の輝度を下げるゲインと、さらに静止画像を表示している領域のみの輝度を下げるゲインの２種類のゲインを算出する。【０１９４】
本実施形態におけるゲインの算出方法について、具体的に説明する。まず、係数算出部１６４において、記憶部１５０に記憶されている画面上の９つの領域の静止画度の内、最も静止画度の値が大きい領域およびその静止画度を取得する（ステップＳ１０８）。最も静止画度の値が大きい領域およびその静止画度を取得すると、信号レベル補正部１２８において映像信号に乗算するための補正係数（ゲイン）Ｃｒ’、Ｃｇ’、Ｃｂ’を、係数算出部１６４で算出する（ステップＳ１１０）。【０１９５】
なお、このように最大の静止画度に応じて輝度を調節すると、静止画像を表示していた領域で動画像の表示が行われると静止画度が下がるので、静止画度の低下に伴って算出するゲインが大きくなる。その結果、画面に表示する画像の輝度が急激に上昇し、画面がフラッシュするように見えてしまう。そのため、急激にゲインを大きくするのではなく、徐々にゲインを大きくすることが望ましい。【０１９６】
徐々にゲインを大きくするための一つの方法として、取得した静止画度の最大値と、直前に取得した静止画度の最大値との大小を比較し、比較の結果に応じて演算を行う方法がある。【０１９７】
最新の静止画度の最大値をｓＭＡＰ＿ＭＡＸ＿ＮＥＷとし、直前に取得した静止画度の最大値をｓＭＡＰ＿ＭＡＸ＿ＯＬＤとする。ｓＭＡＰ＿ＭＡＸ＿ＮＥＷとｓＭＡＰ＿ＭＡＸ＿ＯＬＤとを比較し、ｓＭＡＰ＿ＭＡＸ＿ＮＥＷがｓＭＡＰ＿ＭＡＸ＿ＯＬＤ未満であれば、ｓＭＡＰ＿ＭＡＸ＿ＯＬＤに対して所定量を減算したものを、ゲイン算出に用いる静止画度とする。一方、ｓＭＡＰ＿ＭＡＸ＿ＮＥＷがｓＭＡＰ＿ＭＡＸ＿ＯＬＤ以上であれば、ｓＭＡＰ＿ＭＡＸ＿ＮＥＷをそのままゲイン算出に用いる静止画度とする。ゲイン算出に用いる静止画度をｓＭＡＰ＿ＭＡＸ’とする。【０１９８】
このように、取得した静止画度の最大値と、直前に取得した静止画度の最大値との大小を比較し、比較の結果に応じて演算を行うことにより、静止画像の表示から動画像の表示に切り換わった時点で画面に表示する画像の輝度が急激に上昇し、画面がフラッシュするように見えてしまう現象を防ぐことができる。なお、上述のｓＭＡＰ＿ＭＡＸ＿ＯＬＤに対して減算する所定量は、設計に応じて自由に設定することが可能な値である。【０１９９】
図１１は、本発明の一実施形態にかかる、静止画度とゲインとの関係をグラフで示す説明図である。図１１に示したグラフの横軸はゲイン算出に用いる静止画度ｓＭＡＰ＿ＭＡＸ’を表し、縦軸は算出するゲインの値を表している。【０２００】
図１１の符号１８０ａで示した線は、画面全体の輝度を下げるためのゲインを算出する際の静止画度とゲインとの関係を示したものであり、符号１８０ｂで示した線は、つまり静止画度が高い領域、つまり同じ画像を連続して表示し続けている領域の輝度を下げるためのゲインを算出する際の静止画度とゲインとの関係を示したものである。【０２０１】
図１１の（１）で示した区間、すなわちｓＭＡＰ＿ＭＡＸ’の値がｔｈ１〜ｔｈ２の間は、静止画度が高い領域に表示される画像の輝度を下げるためのゲインを算出する区間である。静止画度ｓＭＡＰ＿ＭＡＸ’が０〜ｔｈ１の間は、算出するゲインは１．０である。静止画度が上昇し、静止画度ｓＭＡＰ＿ＭＡＸ’がｔｈ１に達すると、静止画度が高い領域に表示される画像の輝度を下げるために、値が１．０より小さいゲインを算出する。ゲインは１．０から下げていき、静止画度ｓＭＡＰ＿ＭＡＸ’がｔｈ２に達するまでゲインの値をｍ２まで下げていく。【０２０２】
図１１の（２）で示した区間、すなわちｓＭＡＰ＿ＭＡＸ’の値がｔｈ２〜ｔｈ３の間は、画面全体の輝度を下げるためのゲインを算出する区間である。静止画度ｓＭＡＰ＿ＭＡＸ’が０〜ｔｈ２の間は、算出するゲインは１．０である。静止画度が上昇し、静止画度ｓＭＡＰ＿ＭＡＸ’がｔｈ２に達すると、画面全体の輝度を下げるために、値が１．０より小さいゲインを算出する。静止画度ｓＭＡＰ＿ＭＡＸ’がｔｈ２から大きくなると、算出するゲインの値を１．０から下げていき、静止画度ｓＭＡＰ＿ＭＡＸ’がｔｈ３に達するまでゲインの値をｍ１まで下げていく。【０２０３】
このように、２種類のゲインを算出することで、表示装置１００で映像を見ている利用者が、画面上に表示される映像の輝度の低下を感じずに、輝度の調整を行うことができる。【０２０４】
係数算出部１６４が補正係数Ｃｒ’、Ｃｇ’、Ｃｂ’を算出すると、算出した補正係数Ｃｒ’、Ｃｇ’、Ｃｂ’を信号レベル補正部１２８に入力する。信号レベル補正部１２８では、入力された補正係数Ｃｒ’、Ｃｇ’、Ｃｂ’を映像信号に乗算する（ステップＳ１１２）。【０２０５】
信号レベル補正部１２８は、補正係数Ｃｒ’、Ｃｇ’、Ｃｂ’をＲ、Ｇ、Ｂ各色に対して乗算する。つまり、赤色の信号レベルを補正するための補正係数Ｃｒ’は赤色の映像信号に対して乗算し、緑色の信号レベルを補正するための補正係数Ｃｇ’は緑色の映像信号に対して乗算し、青色の信号レベルを補正するための補正係数Ｃｂ’は青色の映像信号に対して乗算する。【０２０６】
映像信号に対して、補正係数を信号レベル補正部１２８で乗算することで、信号レベル補正部１２８に入力された映像信号の信号レベルを調節する。信号レベル補正部１２８での補正係数の乗算の結果、映像信号の信号レベルを調節し、パネル１５８を通して表示される映像の輝度を落とすことができる。【０２０７】
以上、本発明の一実施形態にかかる静止画判定方法について説明した。なお、上述した静止画判定方法は、表示装置１００の内部の記録媒体（例えば記録部１０６）に予め本発明の一実施形態にかかる静止画判定方法を実行するように作成されたコンピュータプログラムを記録しておき、当該コンピュータプログラムを演算装置（例えば制御部１０４）が順次読み出して実行することによって行ってもよい。【０２０８】
以上説明したように、本発明の一実施形態によれば、直前の映像信号の信号レベルと現在の映像の信号の信号レベルとを比較し、両者の差によって静止画像を表示しているかどうかを判断する。そして、判断結果に応じて静止画度を更新することによって、画面上に静止画像を表示し続けているかどうかを検出することができる。そして、静止画度の値に応じて静止画を表示している領域の輝度を落とすような補正係数（ゲイン）を算出することで、画面に表示される映像の輝度を落とし、焼き付き現象を防ぐことができる。【０２０９】
また、リニア特性を有する映像信号に対する各種信号処理は簡単な演算で済むので、演算を行う回路は単純な回路構成で足りる。その結果、回路面積全体の減少に繋がり、ひいては表示装置１００の薄型化や軽量化に繋がるものである。【０２１０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。【０２１１】
例えば、上記実施形態では、静止画判定部１６２で静止画度を算出して、算出した静止画度に基づいて補正値を算出し、算出した補正値を信号レベル補正部１２８に送り、信号レベル補正部１２８で映像信号に補正値を乗算することで映像信号の信号レベルを補正したが、本発明はかかる例に限定されない。例えば、制御部１０４では静止画度を算出して、算出した静止画度を信号レベル補正部１２８に送り、信号レベル補正部１２８で補正値の算出および乗算を行ってもよい。
【図１】
2008143134.tif 000003
【図２Ａ】
2008143134.tif 000004
【図２Ｂ】
2008143134.tif 000005
【図２Ｃ】
2008143134.tif 000006
【図２Ｄ】
2008143134.tif 000007
【図２Ｅ】
2008143134.tif 000008
【図２Ｆ】
2008143134.tif 000009
【図３】
2008143134.tif 000010
【図４】
2008143134.tif 000011
【図５】
2008143134.tif 000012
【図６Ａ】
2008143134.tif 000013
【図６Ｂ】
2008143134.tif 000014
【図６Ｃ】
2008143134.tif 000015
【図６Ｄ】
2008143134.tif 000016
【図６Ｅ】
2008143134.tif 000017
【図６Ｆ】
2008143134.tif 000018
【図６Ｇ】
2008143134.tif 000019
【図６Ｈ】
2008143134.tif 000020
【図６Ｉ】
2008143134.tif 000021
【図７】
2008143134.tif 000022
【図８】
2008143134.tif 000023
【図９Ａ】
2008143134.tif 000024
【図９Ｂ】
2008143134.tif 000025
【図９Ｃ】
2008143134.tif 000026
【図９Ｄ】
2008143134.tif 000027
【図９Ｅ】
2008143134.tif 000028
【図９Ｆ】
2008143134.tif 000029
【図１０】
2008143134.tif 000030
【図１１】
2008143134.tif 000031
【図１２】
2008143134.tif 000032
【図１３】
2008143134.tif 000033
【図１４】
2008143134.tif 000034
【図１５】
2008143134.tif 000035
【図１６Ａ】
2008143134.tif 000036
【図１６Ｂ】
2008143134.tif 000037
【図１６Ｃ】
2008143134.tif 000038
【図１７】
2008143134.tif 000039
【図１８】
2008143134.tif 000040
【図１９】
2008143134.tif 000041
【図２０】
2008143134.tif 000042
【国際調査報告】
2008143134.tif 000043
2008143134.tif 000044
2008143134.tif 000045
2008143134.tif 000046
2008143134.tif 000047
2008143134.tif 000048
2008143134.tif 000049